(57)【特許請求の範囲】
【請求項１】
移動デバイスと近くのコンピューティングデバイスとの間でファイルを共有するための方法であって、
ファイル共有機能を起動するステップと、
近くのコンピューティングデバイスを発見するステップと、
前記発見されたコンピューティングデバイスとの間に無線リンクを確立するステップと、
前記発見された近くのコンピューティングデバイスの位置を判定するステップと、
前記コンピューティングデバイスのタッチ面上でファイル共有ジェスチャを検出するステップと、
前記検出されたファイル共有ジェスチャに基づいて、ターゲットコンピューティングデバイスを識別するステップと、
ファイル共有メッセージを、前記ターゲットコンピューティングデバイスに送信するステップとを含み、
前記発見された近くのコンピューティングデバイスの位置を判定するステップが、前記発見された近くのコンピューティングデバイスのそれぞれにおける全地球測位システム(GPS)受信機によって提供される位置座標を、前記確立された無線リンクを介して受け取るステップを含み、
前記ファイル共有メッセージを、前記ターゲットコンピューティングデバイスに送信するステップが、前記無線リンクを確立するために使用される無線技術とは異なる無線技術を使用して達成される、方法。
【請求項２】
前記無線リンクを確立するステップが、Bluetooth(登録商標)、ZigBee(登録商標)、近距離無線通信(NFC)、広域無線IEEE 802.11(WiFi)、赤外線(IrDA)、および超音波から選択される無線技術を使用して達成される、請求項1に記載の方法。
【請求項３】
前記発見された近くのコンピューティングデバイスの位置を判定するステップが、
前記発見された近くのコンピューティングデバイスから受け取った信号の到着時間の差を、第1および第2のアンテナを使用して判定するステップと、
信号の到着時間の前記判定された差に基づいて三角測量の計算を使用して、前記発見された近くのコンピューティングデバイスのそれぞれへの方向を判定するステップとを含む、請求項1に記載の方法。
【請求項４】
前記近くの発見されたコンピューティングデバイスの位置を判定するステップが、
前記発見された近くのコンピューティングデバイスのそれぞれにおける全地球測位システム(GPS)受信機によって提供される位置座標を受け取るステップと、
前記受け取った位置座標を、前記移動デバイス内のGPS受信機からの位置座標と比較するステップとを含む、請求項1に記載の方法。
【請求項５】
ファイル共有ジェスチャを検出するステップが、はじくジェスチャおよび手のジェスチャのいずれかを検出するステップを含む、請求項1に記載の方法。
【請求項６】
前記ターゲットコンピューティングデバイスを識別するステップが、
前記検出されたファイル共有ジェスチャの形を判定するステップと、
前記検出されたファイル共有ジェスチャの方向および速度を判定するステップと、
前記検出されたファイル共有ジェスチャの、前記判定された形、方向および速度に基づいて、物体が着地するであろう位置を計算するステップと、
前記計算された位置を、前記近くの発見されたコンピューティングデバイスの前記判定された位置と比較して、物体が着地するであろう前記計算された位置に最も近いコンピューティングデバイスを識別するステップとを含む、請求項1に記載の方法。
【請求項７】
前記ターゲットコンピューティングデバイスを識別するステップが、
前記移動デバイスの傾き角度を判定するステップと、
前記検出されたファイル共有ジェスチャの方向および速度を判定するステップと、
物体が着地するであろう位置を、前記判定された傾き角度、前記検出されたファイル共有ジェスチャの方向および速度に基づいて、計算するステップと、
前記計算された位置を、前記近くの発見されたコンピューティングデバイスの前記判定された位置と比較して、物体が着地するであろう前記計算された位置に最も近いコンピューティングデバイスを識別するステップとを含む、請求項1に記載の方法。
【請求項８】
ファイル共有メッセージを送信するステップが、選択されたファイルを前記ターゲットコンピューティングデバイスに送信するステップを含む、請求項1に記載の方法であって、
前記ファイルを前記ターゲットコンピューティングデバイスに送信する要求を送信するステップと、
前記ファイルが送信されるべきアドレスを指定するアクセスデータを含む応答を、前記ターゲットコンピューティングデバイスから受信するステップとをさらに含み、
前記ファイルを前記ターゲットコンピューティングデバイスに送信するステップが、
前記受信したアクセスデータ内で指定される前記アドレスに基づいて前記ファイルが送信されるべき無線通信リンクを判定するステップと、
前記判定された無線通信リンクを介して、前記ファイルを前記アドレスに送信するステップとを含む、方法。
【請求項９】
前記ファイルを前記ターゲットコンピューティングデバイスに送信する前記要求が、前記確立された無線リンクを使用して達成され、前記ファイルを送信するために使用される前記判定された無線通信リンクが、前記確立された無線リンク技術とは異なる無線技術を使用する、請求項8に記載の方法。
【請求項１０】
ファイル共有メッセージを送信するステップが、選択されたファイルを前記ターゲットコンピューティングデバイスに送信するステップを含む、請求項1に記載の方法であって、
前記ターゲットコンピューティングデバイスのユーザ確認用のプロンプトを表示するステップと、
ユーザ入力が、前記ターゲットコンピューティングデバイスのユーザ確認を示すかどうか判定するステップとをさらに含み、
前記ファイルを前記ターゲットコンピューティングデバイスに送信するステップが、前記ユーザ入力が、前記ターゲットコンピューティングデバイスのユーザ確認を示す場合に達成される、方法。
【請求項１１】
前記ターゲットコンピューティングデバイスのユーザ確認用のプロンプトを表示するステップが、
ユーザ識別子を、発見されたコンピューティングデバイスから、前記確立された無線リンクを介して受け取るステップと、
前記受け取ったユーザ識別子を使用して、コンタクトデータベースから画像を取得するステップと、
前記取得した画像を、前記ターゲットコンピューティングデバイスの前記ユーザ確認用の前記プロンプトとして表示するステップとを含む、請求項10に記載の方法。
【請求項１２】
前記タッチ面が、タッチスクリーンユーザインターフェイスである、請求項1に記載の方法であって、
ローンチパッドを、前記タッチスクリーンユーザインターフェイス上に表示するステップをさらに含み、
ファイル共有ジェスチャを検出するステップが、タッチイベント開始点および終了点のいずれかを、前記表示されたローンチパッドと比較するステップを含む、方法。
【請求項１３】
前記発見された近くのコンピューティングデバイスの前記判定された相対的な位置についての視覚的指標を含むレーダマップ画像を表示するステップをさらに含む、請求項1に記載の方法。
【請求項１４】
ファイル共有メッセージを送信するステップが、ファイルを送信するように前記ターゲットコンピューティングデバイスに要求するメッセージを送信するステップを含む、請求項1に記載の方法。
【請求項１５】
前記要求されたファイルが送信されるべきアドレスを含むアクセスデータを、前記ターゲットコンピューティングデバイスに送信するステップをさらに含む、請求項14に記載の方法。
【請求項１６】
前記検出されたファイル共有ジェスチャが、曲線経路を含むかどうか判定するステップをさらに含み、
前記ターゲットコンピューティングデバイスを識別するステップが、相対的な別のコンピューティングデバイスの後ろに位置したコンピューティングデバイスを選択するステップを含む、請求項1に記載の方法。
【請求項１７】
前記検出されたファイル共有ジェスチャが、他のコンピューティングデバイスから離れる方向へ向けられているかどうか判定するステップと、
前記ファイル共有ジェスチャの前記方向およびコンピューティングデバイスディスプレイの縁に基づいて、間接的経路を計算するステップとをさらに含み、
前記ターゲットコンピューティングデバイスを識別するステップが、前記計算された間接的経路および前記発見された近くのコンピューティングデバイスの前記判定された位置に基づく、請求項1に記載の方法。
【請求項１８】
プロセッサと、
前記プロセッサに結合されたディスプレイと、
前記プロセッサに結合されたタッチセンシティブ面と、
前記プロセッサに結合されたメモリと、
前記プロセッサに結合された第1の無線送受信機と
を備える移動デバイスであって、
前記プロセッサが、
ファイル共有機能を起動するステップと、
前記第1の無線送受信機を介して、近くのコンピューティングデバイスを発見するステップと、
前記第1の無線送受信機を介して、前記発見されたコンピューティングデバイスとの間に無線リンクを確立するステップと、
前記発見された近くのコンピューティングデバイスの位置を判定するステップと、
前記タッチセンシティブ面上でファイル共有ジェスチャを検出するステップと、
前記検出されたファイル共有ジェスチャに基づいて、ターゲットコンピューティングデバイスを識別するステップと、
ファイル共有メッセージを、第1の送受信機を介して前記ターゲットコンピューティングデバイスに送信するステップと
を含むステップ動作を実行するための、プロセッサにより実行可能な命令を備えて構成されている、
前記発見された近くのコンピューティングデバイスの位置を判定するステップが、前記発見された近くのコンピューティングデバイスのそれぞれにおける全地球測位システム(GPS)受信機によって提供される位置座標を、前記確立された無線リンクを介して受け取ることによって達成され、
前記ファイル共有メッセージを、前記ターゲットコンピューティングデバイスに送信するステップが、前記無線リンクを確立するために使用される無線技術とは異なる無線技術を使用して達成されるように、前記プロセッサが、プロセッサにより実行可能な命令を備えてさらに構成されている、移動デバイス。
【請求項１９】
前記第1の送受信機が、Bluetooth(登録商標)、ZigBee(登録商標)、近距離無線通信(NFC)、広域無線IEEE 802.11(WiFi)、赤外線(IrDA)、および超音波から選択される無線技術に従って通信するように構成されている、請求項18に記載の移動デバイス。
【請求項２０】
少なくとも一方が前記第1の送受信機に結合されている、第1のアンテナおよび第2のアンテナをさらに含み、
前記発見された近くのコンピューティングデバイスの位置を判定するステップが、
前記発見された近くのコンピューティングデバイスから、前記第1および第2のアンテナを介して受け取った信号の到着時間の差を判定するステップと、
信号の到着時間の前記判定された差に基づいて三角測量の計算を使用して、前記発見された近くのコンピューティングデバイスのそれぞれへの方向を判定するステップと
を含む動作を実行することによって達成されるように、前記プロセッサが、プロセッサにより実行可能な命令を備えてさらに構成されている、請求項18に記載の移動デバイス。
【請求項２１】
前記プロセッサに結合された全地球測位システム(GPS)受信機をさらに含み、
前記発見された近くのコンピューティングデバイスの位置を判定するステップが、
前記発見された近くのコンピューティングデバイスにおけるGPS受信機によって提供される位置座標を受け取るステップと、
前記受け取った位置座標を、前記GPS受信機から受け取った位置座標と比較するステップと
を含む動作を実行することによって達成されるように、前記プロセッサが、プロセッサにより実行可能な命令を備えてさらに構成されている、請求項18に記載の移動デバイス。
【請求項２２】
ファイル共有ジェスチャを検出するステップが、はじくジェスチャおよび手のジェスチャのいずれかを前記タッチセンシティブ面上で検出するステップを含む動作を実行することによって達成されるように、前記プロセッサが、プロセッサにより実行可能な命令を備えてさらに構成されている、請求項18に記載の移動デバイス。
【請求項２３】
前記ターゲットコンピューティングデバイスを識別するステップが、
前記検出されたファイル共有ジェスチャの形を判定するステップと、
前記検出されたファイル共有ジェスチャの方向および速度を判定するステップと、
前記検出されたファイル共有ジェスチャの、前記判定された形、方向および速度に基づいて、物体が着地するであろう位置を計算するステップと、
前記計算された位置を、前記近くの発見されたコンピューティングデバイスの前記判定された位置と比較して、物体が着地するであろう前記計算された位置に最も近いコンピューティングデバイスを識別するステップと
を含む動作を実行することによって達成されるように、前記プロセッサが、プロセッサにより実行可能な命令を備えてさらに構成されている、請求項18に記載の移動デバイス。
【請求項２４】
前記移動デバイスの傾き角度を測定するように構成された前記プロセッサに結合されている加速度計をさらに含み、
前記ターゲットコンピューティングデバイスを識別するステップが、
前記コンピューティングデバイスの傾き角度を、前記加速度計からの入力を使用して判定するステップと、
前記検出されたファイル共有ジェスチャの方向および速度を判定するステップと、
物体が着地するであろう位置を、前記判定された傾き角度、前記検出されたファイル共有ジェスチャの方向および速度に基づいて、計算するステップと、
前記計算された位置を、前記近くの発見されたコンピューティングデバイスの前記判定された位置と比較して、物体が着地するであろう前記計算された位置に最も近いコンピューティングデバイスを識別するステップと
を含む動作を実行することによって達成されるように、前記プロセッサが、プロセッサにより実行可能な命令を備えてさらに構成されている、請求項18に記載の移動デバイス。
【請求項２５】
ファイル共有メッセージを送信するステップが、
前記第1の送受信機を介して、選択されたファイルを前記ターゲットコンピューティングデバイスに送信する要求を送信するステップと、
前記第1の送受信機を介して、前記選択されたファイルが送信されるべきアドレスを指定するアクセスデータを含む応答を、前記ターゲットコンピューティングデバイスから受信するステップと、
前記選択されたファイルが送信されるべき無線通信リンクを、前記受け取ったアクセスデータ内で指定される前記アドレスに基づいて判定するステップと、
前記選択されたファイルを前記アドレスに、前記判定された無線通信リンクを介して送信するステップと
を含む動作を実行することによって達成されるように、前記プロセッサが、プロセッサにより実行可能な命令を備えてさらに構成されている、請求項18に記載の移動デバイス。
【請求項２６】
前記プロセッサが、プロセッサにより実行可能な命令によって、前記選択されたファイルを前記ターゲットコンピューティングデバイスに、前記第1の送受信機を介して送信するように構成されている、請求項25に記載の移動デバイス。
【請求項２７】
前記プロセッサに結合されている第2の送受信機であって、前記第1の送受信機のとは異なる無線通信技術を使用して通信するように構成されている第2の送受信機をさらに含み、
前記選択されたファイルを、前記第2の送受信機を介して送信するように、前記プロセッサが、プロセッサにより実行可能な命令を備えてさらに構成されている、請求項25に記載の移動デバイス。
【請求項２８】
ファイル共有メッセージを送信するステップが、選択されたファイルを前記ターゲットコンピューティングデバイスに送信するステップを含む動作を実行することによって達成されるように、前記プロセッサが、プロセッサにより実行可能な命令を備えてさらに構成されており、
前記プロセッサが、
前記ディスプレイ上に、前記ターゲットコンピューティングデバイスのユーザ確認用のプロンプトを表示するステップと、
ユーザ入力が、前記ターゲットコンピューティングデバイスのユーザ確認を示すかどうか判定するステップと
を含む動作をさらに実行するようにプロセッサにより実行可能な命令を備えて構成されており、
前記ファイルを前記ターゲットコンピューティングデバイスに送信するステップが、前記ユーザ入力が、前記ターゲットコンピューティングデバイスのユーザ確認を示す場合に達成されるように、前記プロセッサが、プロセッサにより実行可能な命令を備えてさらに構成されている、請求項18に記載の移動デバイス。
【請求項２９】
前記ターゲットコンピューティングデバイスのユーザ確認用のプロンプトを表示するステップが、
ユーザ識別子を、発見されたコンピューティングデバイスから、前記確立された無線リンクを介し、前記第1の送受信機を介して受け取るステップと、
前記受け取ったユーザ識別子を使用して、前記メモリに格納されているコンタクトデータベースから画像を取得するステップと、
前記取得した画像を、前記ターゲットコンピューティングデバイスの前記ユーザ確認用の前記プロンプトとして、前記ディスプレイ上に表示するステップと
を含む動作を実行することによって達成されるように、前記プロセッサが、プロセッサにより実行可能な命令を備えてさらに構成されている請求項28に記載の移動デバイス。
【請求項３０】
前記ディスプレイおよび前記タッチセンシティブ面が、タッチスクリーンディスプレイであり、
ローンチパッドを、前記タッチスクリーンディスプレイ上に表示するステップを含む動作をさらに実行するように、前記プロセッサが、プロセッサにより実行可能な命令を備えて構成されており、
ファイル共有ジェスチャを検出するステップが、タッチイベント開始点および終了点のいずれかを、前記表示されたローンチパッドと比較するステップを含むように、前記プロセッサが、プロセッサにより実行可能な命令を備えてさらに構成されている、請求項18に記載の移動デバイス。
【請求項３１】
前記発見された近くのコンピューティングデバイスの前記判定された相対的な位置についての視覚的指標を含むレーダマップ画像を、前記ディスプレイ上に表示するステップを含む動作をさらに実行するように、前記プロセッサが、プロセッサにより実行可能な命令を備えて構成されている、請求項18に記載の移動デバイス。
【請求項３２】
ファイル共有メッセージを送信するステップが、ファイルを送信するように前記ターゲットコンピューティングデバイスに要求するメッセージを送信するステップを含む動作を実行することによって達成されるように、前記プロセッサが、プロセッサにより実行可能な命令を備えてさらに構成されている、請求項18に記載の移動デバイス。
【請求項３３】
前記要求されたファイルが送信されるべきアドレスを含むアクセスデータを、前記ターゲットコンピューティングデバイスに送信するステップを含む動作をさらに実行するように、前記プロセッサが、プロセッサにより実行可能な命令を備えて構成されている、請求項32に記載の移動デバイス。
【請求項３４】
前記検出されたファイル共有ジェスチャが、曲線経路を含むかどうか判定するステップを含む動作をさらに実行するように、前記プロセッサが、プロセッサにより実行可能な命令を備えて構成されており、
前記ターゲットコンピューティングデバイスを識別するステップが、相対的な別のコンピューティングデバイスの後ろに位置したコンピューティングデバイスを選択するステップを含む動作を実行することによって達成されるように、前記プロセッサが、プロセッサにより実行可能な命令を備えてさらに構成されている、請求項18に記載の移動デバイス。
【請求項３５】
前記プロセッサが、
前記検出されたファイル共有ジェスチャが、他のコンピューティングデバイスから離れる方向へ向けられているかどうか判定するステップと、
間接的経路を、前記ファイル共有ジェスチャの前記方向およびコンピューティングデバイスディスプレイの縁に基づいて計算するステップと
を含む動作をさらに実行するように、プロセッサにより実行可能な命令を備えて構成されており、
前記ターゲットコンピューティングデバイスを識別するステップが、前記計算された間接的経路および前記発見された近くのコンピューティングデバイスの前記判定された位置に基づいて達成されるように、前記プロセッサが、プロセッサにより実行可能な命令を備えてさらに構成されている、請求項18に記載の移動デバイス。
【請求項３６】
ファイル共有機能を起動するための手段と、
近くのコンピューティングデバイスを発見するための手段と、
前記発見されたコンピューティングデバイスとの間に無線リンクを確立するための手段と、
前記発見された近くのコンピューティングデバイスの位置を判定するための手段と、
ファイル共有ジェスチャを検出するための手段と、
前記検出されたファイル共有ジェスチャに基づいて、ターゲットコンピューティングデバイスを識別するための手段と、
ファイル共有メッセージを、前記ターゲットコンピューティングデバイスに送信するための手段とを備え、
前記発見された近くのコンピューティングデバイスの位置を判定するための手段が、前記発見された近くのコンピューティングデバイスのそれぞれにおける全地球測位システム(GPS)受信機によって提供される位置座標を、前記確立された無線リンクを介して受け取るための手段を備え、
前記ファイル共有メッセージを、前記ターゲットコンピューティングデバイスに送信するための手段が、前記無線リンクを確立するための前記手段によって使用される無線技術とは異なる無線技術を使用して、前記ファイル共有メッセージを送信するための手段を備える、移動デバイス。
【請求項３７】
前記無線リンクを確立するための手段が、Bluetooth(登録商標)、ZigBee(登録商標)、近距離無線通信(NFC)、広域無線IEEE 802.11(WiFi)、赤外線(IrDA)、および超音波から選択される無線技術を使用する、請求項36に記載の移動デバイス。
【請求項３８】
前記発見された近くのコンピューティングデバイスの位置を判定するための手段が、
前記発見された近くのコンピューティングデバイスから受け取った信号の到着時間の差を、第1および第2のアンテナを使用して判定するための手段と、
信号の到着時間の前記判定された差に基づいて三角測量の計算を使用して、前記発見された近くのコンピューティングデバイスのそれぞれへの方向を判定するための手段とを備える、請求項36に記載の移動デバイス。
【請求項３９】
前記近くの発見されたコンピューティングデバイスの位置を判定するための手段が、
前記発見された近くのコンピューティングデバイスのそれぞれにおける、全地球測位システム(GPS)受信機によって提供される位置座標を受け取るための手段と、
前記受け取った位置座標を、GPS受信機からの位置座標と比較するための手段とを備える、請求項36に記載の移動デバイス。
【請求項４０】
ファイル共有ジェスチャを検出するための手段が、はじくジェスチャおよび手のジェスチャのいずれかを検出するための手段を備える、請求項36に記載の移動デバイス。
【請求項４１】
前記ターゲットコンピューティングデバイスを識別するための手段が、
前記検出されたファイル共有ジェスチャの形を判定するための手段と、
前記検出されたファイル共有ジェスチャの方向および速度を判定するための手段と、
前記検出されたファイル共有ジェスチャの、前記判定された形、方向および速度に基づいて、物体が着地するであろう位置を計算するための手段と、
前記計算された位置を、前記近くの発見されたコンピューティングデバイスの前記判定された位置と比較して、物体が着地するであろう前記計算された位置に最も近いコンピューティングデバイスを識別するための手段とを備える、請求項36に記載の移動デバイス。
【請求項４２】
前記ターゲットコンピューティングデバイスを識別するための手段が、
前記コンピューティングデバイスの傾き角度を判定するための手段と、
前記検出されたファイル共有ジェスチャの方向および速度を判定するための手段と、
前記判定された傾き角度、前記検出されたファイル共有ジェスチャの方向および速度に基づいて、物体が着地するであろう位置を計算するための手段と、
前記計算された位置を、前記近くの発見されたコンピューティングデバイスの前記判定された位置と比較して、物体が着地するであろう前記計算された位置に最も近いコンピューティングデバイスを識別するための手段とを備える、請求項36に記載の移動デバイス。
【請求項４３】
ファイル共有メッセージを送信するための手段が、選択されたファイルを前記ターゲットコンピューティングデバイスに送信するための手段を備える、請求項36に記載の移動デバイスであって、
前記ファイルを前記ターゲットコンピューティングデバイスに送信する要求を送信するための手段と、
前記ファイルが送信されるべきアドレスを指定するアクセスデータを含む応答を、前記ターゲットコンピューティングデバイスから受信するための手段とをさらに備え、
前記ファイルを前記ターゲットコンピューティングデバイスに送信するための手段が、
前記受け取ったアクセスデータ内で指定される前記アドレスに基づいて前記ファイルが送信されるべき無線通信リンクを判定するための手段と、
前記判定された無線通信リンクを介して、前記ファイルを前記アドレスに送信するための手段とを備える、移動デバイス。
【請求項４４】
前記ファイルを前記ターゲットコンピューティングデバイスに送信する要求を送信するための手段が、前記確立された無線リンクを使用して前記要求を送信するための手段を備え、前記判定された無線通信リンクを介して前記ファイルを送信するための手段が、前記確立された無線リンク技術とは異なる無線技術を使用する、請求項43に記載の移動デバイス。
【請求項４５】
ファイル共有メッセージを送信するための手段が、選択されたファイルを前記ターゲットコンピューティングデバイスに送信するための手段を備える、請求項36に記載の移動デバイスであって、
前記ターゲットコンピューティングデバイスのユーザ確認用のプロンプトを表示するための手段と、
ユーザ入力が、前記ターゲットコンピューティングデバイスのユーザ確認を示すかどうか判定するための手段とをさらに備え、
前記ファイルを前記ターゲットコンピューティングデバイスに送信するための手段が、前記ユーザ入力が、前記ターゲットコンピューティングデバイスのユーザ確認を示す場合に、前記ファイルを前記ターゲットコンピューティングデバイスに送信するための手段を備える、移動デバイス。
【請求項４６】
前記ターゲットコンピューティングデバイスのユーザ確認用のプロンプトを表示するための手段が、
ユーザ識別子を、発見されたコンピューティングデバイスから、前記確立された無線リンクを介して受け取るための手段と、
前記受け取ったユーザ識別子を使用して、コンタクトデータベースから画像を取得するための手段と、
取得した画像を、前記ターゲットコンピューティングデバイスの前記ユーザ確認用の前記プロンプトとして表示するための手段とを備える、請求項45に記載の移動デバイス。
【請求項４７】
ファイル共有ジェスチャを検出するための手段が、ディスプレイおよび前記ディスプレイ上でタッチイベントを検出するための手段を備える、請求項36に記載の移動デバイスであって、ローンチパッドを前記ディスプレイ上に表示するための手段をさらに備え、
ファイル共有ジェスチャを検出するための手段が、タッチイベント開始点および終了点のいずれかを、前記表示されたローンチパッドと比較するための手段を備える、移動デバイス。
【請求項４８】
前記発見された近くのコンピューティングデバイスの前記判定された相対的な位置についての視覚的指標を含むレーダマップ画像を表示するための手段をさらに備える、請求項36に記載の移動デバイス。
【請求項４９】
ファイル共有メッセージを送信するための手段が、ファイルを送信するように前記ターゲットコンピューティングデバイスに要求するメッセージを送信するための手段を備える、請求項36に記載の移動デバイス。
【請求項５０】
前記要求されたファイルが送信されるべきアドレスを含むアクセスデータを、前記ターゲットコンピューティングデバイスに送信するための手段をさらに備える、請求項49に記載の移動デバイス。
【請求項５１】
前記検出されたファイル共有ジェスチャが、曲線経路を含むかどうか判定するための手段をさらに備え、
前記ターゲットコンピューティングデバイスを識別するための手段が、相対的な別のコンピューティングデバイスの後ろに位置したコンピューティングデバイスを選択するための手段を備える、請求項36に記載の移動デバイス。
【請求項５２】
前記検出されたファイル共有ジェスチャが、他のコンピューティングデバイスから離れる方向へ向けられているかどうか判定するための手段と、
前記ファイル共有ジェスチャの前記方向およびコンピューティングデバイスディスプレイの縁に基づいて、間接的経路を計算するための手段とをさらに備え、
前記ターゲットコンピューティングデバイスを識別するための手段が、前記計算された間接的経路および前記発見された近くのコンピューティングデバイスの前記判定された位置に基づいて、前記ターゲットコンピューティングデバイスを識別するための手段を備える、請求項36に記載の移動デバイス。
【請求項５３】
コンピュータにより実行可能な命令を備えたコンピュータプログラムであって、
ファイル共有機能を起動するための少なくとも1つの命令と、
近くのコンピューティングデバイスを発見するための少なくとも1つの命令と、
前記発見されたコンピューティングデバイスとの間で無線リンクを確立するための少なくとも1つの命令と、
前記発見された近くのコンピューティングデバイスの位置を判定するための少なくとも1つの命令と、
コンピューティングデバイスのタッチ面上でファイル共有ジェスチャを検出するための少なくとも1つの命令と、
前記検出されたファイル共有ジェスチャに基づいて、ターゲットコンピューティングデバイスを識別するための少なくとも1つの命令と、
ファイル共有メッセージを、前記ターゲットコンピューティングデバイスに送信するための少なくとも1つの命令とを備え、
前記発見された近くのコンピューティングデバイスの位置を判定するための前記少なくとも1つの命令が、前記発見された近くのコンピューティングデバイスのそれぞれにおける全地球測位システム(GPS)受信機によって提供される位置座標を、前記確立された無線リンクを介して受け取るための少なくとも1つの命令を含み、
前記ファイル共有メッセージを、前記ターゲットコンピューティングデバイスに送信するための前記少なくとも1つの命令が、前記無線リンクを確立するために使用される無線技術とは異なる無線技術を使用するための少なくとも1つの命令を含む、コンピュータプログラム。
【請求項５４】
前記無線リンクを確立するための前記少なくとも1つの命令が、Bluetooth(登録商標)、ZigBee(登録商標)、近距離無線通信(NFC)、広域無線IEEE 802.11(WiFi)、赤外線(IrDA)、および超音波から選択される無線技術を使用するための少なくとも1つの命令を含む、請求項53に記載のコンピュータプログラム。
【請求項５５】
前記発見された近くのコンピューティングデバイスの位置を判定するための前記少なくとも1つの命令が、
前記発見された近くのコンピューティングデバイスから受け取った信号の到着時間の差を、第1および第2のアンテナを使用して判定するための少なくとも1つの命令と、
信号の到着時間の前記判定された差に基づいて三角測量の計算を使用して、前記発見された近くのコンピューティングデバイスのそれぞれへの方向を判定するための少なくとも1つの命令とを含む、請求項53に記載のコンピュータプログラム。
【請求項５６】
前記近くの発見されたコンピューティングデバイスの位置を判定するための前記少なくとも1つの命令が、
前記発見された近くのコンピューティングデバイスのそれぞれにおける、全地球測位システム(GPS)受信機によって提供される位置座標を受け取るための少なくとも1つの命令と、
前記受け取った位置座標を、GPS受信機からの位置座標と比較するための少なくとも1つの命令とを含む、請求項53に記載のコンピュータプログラム。
【請求項５７】
ファイル共有ジェスチャを検出するための前記少なくとも1つの命令が、はじくジェスチャおよび手のジェスチャのいずれかを検出することを含む、請求項53に記載のコンピュータプログラム。
【請求項５８】
前記ターゲットコンピューティングデバイスを識別するための前記少なくとも1つの命令が、
前記検出されたファイル共有ジェスチャの形を判定するための少なくとも1つの命令と、
前記検出されたファイル共有ジェスチャの方向および速度を判定するための少なくとも1つの命令と、
前記検出されたファイル共有ジェスチャの、前記判定された形、方向および速度に基づいて、物体が着地するであろう位置を計算するための少なくとも1つの命令と、
前記計算された位置を、前記近くの発見されたコンピューティングデバイスの前記判定された位置と比較して、物体が着地するであろう前記計算された位置に最も近いコンピューティングデバイスを識別するための少なくとも1つの命令とを含む、請求項53に記載のコンピュータプログラム。
【請求項５９】
前記ターゲットコンピューティングデバイスを識別するための前記少なくとも1つの命令が、
前記コンピューティングデバイスの傾き角度を判定するための少なくとも1つの命令と、
前記検出されたファイル共有ジェスチャの方向および速度を判定するための少なくとも1つの命令と、
前記判定された傾き角度、前記検出されたファイル共有ジェスチャの方向および速度に基づいて、物体が着地するであろう位置を計算するための少なくとも1つの命令と、
前記計算された位置を、前記近くの発見されたコンピューティングデバイスの前記判定された位置と比較して、物体が着地するであろう前記計算された位置に最も近いコンピューティングデバイスを識別するための少なくとも1つの命令とを含む、請求項53に記載のコンピュータプログラム。
【請求項６０】
ファイル共有メッセージを送信するための前記少なくとも1つの命令が、選択されたファイルを前記ターゲットコンピューティングデバイスに送信するための少なくとも1つの命令を含み、
前記ファイルを前記ターゲットコンピューティングデバイスに送信する要求を送信するための少なくとも1つの命令と、
前記ファイルが送信されるべきアドレスを指定するアクセスデータを含む応答を、前記ターゲットコンピューティングデバイスから受信するための少なくとも1つの命令とをさらに含み、
前記ファイルを前記ターゲットコンピューティングデバイスに送信するための前記少なくとも1つの命令が、
前記受け取ったアクセスデータ内で指定される前記アドレスに基づいて前記ファイルが送信されるべき無線通信リンクを判定するための少なくとも1つの命令と、
前記判定された無線通信リンクを介して、前記ファイルを前記アドレスに送信するための少なくとも1つの命令とを含む、請求項53に記載のコンピュータプログラム。
【請求項６１】
前記ファイルを前記ターゲットコンピューティングデバイスに送信する要求を送信するための前記少なくとも1つの命令が、前記確立された無線リンクを使用するための少なくとも1つの命令、および前記確立された無線リンク技術とは異なる無線技術を使用して前記ファイルを送信するための少なくとも1つの命令を含む、請求項60に記載のコンピュータプログラム。
【請求項６２】
ファイル共有メッセージを送信するための前記少なくとも1つの命令が、選択されたファイルを前記ターゲットコンピューティングデバイスに送信するための少なくとも1つの命令を含み、
前記ターゲットコンピューティングデバイスのユーザ確認用のプロンプトを表示するための少なくとも1つの命令と、
ユーザ入力が、前記ターゲットコンピューティングデバイスのユーザ確認を示すかどうか判定するための少なくとも1つの命令とをさらに含み、
前記ファイルを前記ターゲットコンピューティングデバイスに送信するための前記少なくとも1つの命令が、前記ユーザ入力が、前記ターゲットコンピューティングデバイスのユーザ確認を示す場合に、前記ファイルを送信するための少なくとも1つの命令を含む、請求項53に記載のコンピュータプログラム。
【請求項６３】
前記ターゲットコンピューティングデバイスのユーザ確認用のプロンプトを表示するための前記少なくとも1つの命令が、
ユーザ識別子を、発見されたコンピューティングデバイスから、前記確立された無線リンクを介して受け取るための少なくとも1つの命令と、
前記受け取ったユーザ識別子を使用して、コンタクトデータベースから画像を取得するための少なくとも1つの命令と、
取得した画像を、前記ターゲットコンピューティングデバイスの前記ユーザ確認用の前記プロンプトとして表示するための少なくとも1つの命令とを含む、請求項62に記載のコンピュータプログラム。
【請求項６４】
ローンチパッドをタッチスクリーンユーザインターフェイス上に表示するための少なくとも1つの命令をさらに含み、
ファイル共有ジェスチャを検出するための前記少なくとも1つの命令が、タッチイベント開始点および終了点のいずれかを、前記表示されたローンチパッドと比較するための少なくとも1つの命令を含む、請求項53に記載のコンピュータプログラム。
【請求項６５】
前記発見された近くのコンピューティングデバイスの前記判定された相対的な位置についての視覚的指標を含むレーダマップ画像を表示するための少なくとも1つの命令をさらに含む、請求項53に記載のコンピュータプログラム。
【請求項６６】
ファイル共有メッセージを送信するための前記少なくとも1つの命令が、ファイルを送信するように前記ターゲットコンピューティングデバイスに要求するメッセージを送信するための少なくとも1つの命令を含む、請求項53に記載のコンピュータプログラム。
【請求項６７】
前記要求されたファイルが送信されるべきアドレスを含むアクセスデータを、前記ターゲットコンピューティングデバイスに送信するための少なくとも1つの命令をさらに含む、請求項66に記載のコンピュータプログラム。
【請求項６８】
前記検出されたファイル共有ジェスチャが、曲線経路を含むかどうか判定するための少なくとも1つの命令をさらに含み、
前記ターゲットコンピューティングデバイスを識別するための前記少なくとも1つの命令が、相対的な別のコンピューティングデバイスの後ろに位置したコンピューティングデバイスを選択するための少なくとも1つの命令を含む、請求項53に記載のコンピュータプログラム。
【請求項６９】
前記検出されたファイル共有ジェスチャが、他のコンピューティングデバイスから離れる方向へ向けられているかどうか判定するための少なくとも1つの命令と、
前記ファイル共有ジェスチャの前記方向およびコンピューティングデバイスディスプレイの縁に基づいて、間接的経路を計算するための少なくとも1つの命令をさらに含み、
前記ターゲットコンピューティングデバイスを識別するための前記少なくとも1つの命令が、前記計算された間接的経路および前記発見された近くのコンピューティングデバイスの前記判定された位置に基づいて、前記ターゲットコンピューティングデバイスを識別するための少なくとも1つの命令を含む、請求項53に記載のコンピュータプログラム。
【発明の詳細な説明】
【技術分野】
【０００１】
関連出願
本出願は、2009年10月2日出願の「ファイル共有機能を実現するユーザインターフェイス方法(User Interface Methods Providing File Sharing Functionality)」と題した米国仮特許出願第61/248,249号の優先権の利益を主張するものであり、その内容の全体が参照により本明細書に組み込まれる。本出願は、「ファイル共有機能のためのデバイス移動ユーザインターフェイスジェスチャ(Device Movement User Interface Gestures for File Sharing Functionality)」と題した、同時出願の米国出願第12/578,905号(整理番号091723U2)を相互参照し、参照により全体を引用する。
【０００２】
本発明は、一般にコンピュータのユーザインターフェイスシステムに関し、より詳細には、ファイル共有機能を起動させるための、ジェスチャに基づいたユーザインターフェイスに関する。
【背景技術】
【０００３】
パーソナル電子デバイス(例えば、携帯電話、PDA、ラップトップ、ゲームデバイスなど)は、ユーザに、ますます多くの機能およびデータストレージをもたらしている。パーソナル電子デバイスは、個人用整理手帳として機能することに加えて、文書、写真、動画、および音楽を格納するように機能し、またインターネットおよび電子メールのポータルとして機能する。これらのデバイスは、あるユーザが他のユーザと通信し、文書、写真または動画などの格納されたファイルを他の移動デバイスユーザとの間で共有することを可能にする。今日では、移動デバイスは、Eメール、携帯メール(例えば、SMS)、マルチメディアメッセージングサービス(MMS)、および近距離無線通信(NFC)などのさまざまな方法を使用することによってユーザがファイルを共有できるようにしている。しかし、これらのファイル共有方法は、制限があり、面倒で、時間もかかる。Eメールを書き、送るには、大量のタイピングが必要である。送信者は、メッセージを送る前に、Eメールアドレスを知っていなければならず、かつそれを入力しなければならない。SMSまたはMMSメッセージを送るためには、送信者は、受信者の電話番号を知っていなければならない。インターネットを使用してファイルをアップロードまたはダウンロードするためには、ユーザは、URLを知っていなければならず、かつウェブサイトを訪問しなければならない。NFCを使用するためには、ファイルの送信者と受信者が、極めて近接していなければならない。
【発明の概要】
【課題を解決するための手段】
【０００４】
種々の態様は、コンピューティングデバイス間でファイルを共有するための方法を含み、ファイル共有機能を起動するステップと、近くのコンピューティングデバイスを発見するステップと、発見されたコンピューティングデバイスとの間に無線リンクを確立するステップと、発見された近くのコンピューティングデバイスの位置を判定するステップと、ファイル共有ジェスチャを検出するステップと、検出されたファイル共有ジェスチャに基づいて、ターゲットコンピューティングデバイスを識別するステップと、ファイル共有メッセージを、ターゲットコンピューティングデバイスに送信するステップとを含んでいる。無線リンクは、Bluetooth(登録商標)、ZigBee(登録商標)、近距離無線通信(NFC)、広域無線IEEE 802.11(WiFi)、赤外線(IrDA)、および超音波から選択される無線技術を使用して確立することができる。ある態様においては、発見された近くのコンピューティングデバイスの位置を判定するステップが、発見された近くのコンピューティングデバイスのそれぞれにおける全地球測位システム(GPS)受信機によって提供される位置座標を、確立された無線リンクを介して受け取るステップを含むことができ、ファイル共有メッセージを、ターゲットコンピューティングデバイスに送信するステップが、無線リンクを確立するために使用される無線技術とは異なる無線技術を使用して達成され得る。ある態様においては、発見された近くのコンピューティングデバイスの位置を判定するステップが、発見された近くのコンピューティングデバイスから受け取った信号の到着時間の差を、第1および第2のアンテナを使用して判定するステップと、信号の到着時間の判定された差に基づいて三角測量の計算を使用して、発見された近くのコンピューティングデバイスのそれぞれへの方向を判定するステップとを含むことができる。また別の態様においては、近くの発見されたコンピューティングデバイスの位置を判定するステップが、発見された近くのコンピューティングデバイスのそれぞれにおけるGPS受信機によって提供される位置座標を受け取るステップと、受け取った位置座標を、GPS受信機からの位置座標と比較するステップとを含むことができる。また別の態様においては、ファイル共有ジェスチャを検出するステップが、はじくジ
ェスチャおよび手のジェスチャのいずれかを検出するステップを含むことができる。また別の態様においては、ターゲットコンピューティングデバイスを識別するステップが、検出されたファイル共有ジェスチャの形を判定するステップと、検出されたファイル共有ジェスチャの方向および速度を判定するステップと、検出されたファイル共有ジェスチャの、判定された形、方向および速度に基づいて、物体が着地するであろう位置を計算するステップと、計算された位置を、近くの発見されたコンピューティングデバイスの判定された位置と比較して、物体が着地するであろう計算された位置に最も近いコンピューティングデバイスを識別するステップとを含むことができる。また別の態様においては、ターゲットコンピューティングデバイスを識別するステップが、コンピューティングデバイスの傾き角度を判定するステップと、検出されたファイル共有ジェスチャの方向および速度を判定するステップと、物体が着地するであろう位置を、判定された傾き角度、検出されたファイル共有ジェスチャの方向および速度に基づいて、計算するステップと、計算された位置を、近くの発見されたコンピューティングデバイスの判定された位置と比較して、物体が着地するであろう計算された位置に最も近いコンピューティングデバイスを識別するステップとを含むことができる。
【０００５】
また別の態様においては、ファイル共有メッセージを送信するステップが、選択されたファイルをターゲットコンピューティングデバイスに送信するステップを含むことができ、方法は、ファイルをターゲットコンピューティングデバイスに送信する要求を送信するステップと、ファイルが送信されるべきアドレスを指定するアクセスデータを含む応答を、ターゲットコンピューティングデバイスから受信するステップとをさらに含むことができ、ここで、ファイルをターゲットコンピューティングデバイスに送信するステップが、受信したアクセスデータ内で指定されるアドレスに基づいてファイルが送信されるべき無線通信リンクを判定するステップと、判定された無線通信リンクを介して、ファイルをアドレスに送信するステップとを含むことができる。また別の態様においては、ファイルをターゲットコンピューティングデバイスに送信する要求は、確立された無線リンクを使用して達成することができ、ファイルを送信するために使用される判定された無線通信リンクが、確立された無線リンク技術とは異なる無線技術を使用する。また別の態様においては、ファイル共有メッセージを送信するステップが、選択されたファイルをターゲットコンピューティングデバイスに送信するステップを含むことができ、方法は、ターゲットコンピューティングデバイスのユーザ確認用のプロンプトを表示するステップと、ユーザ入力が、ターゲットコンピューティングデバイスのユーザ確認を示すかどうか判定するステップとをさらに含むことができ、ここで、ファイルをターゲットコンピューティングデバイスに送信するステップは、ユーザ入力が、ターゲットコンピューティングデバイスのユーザ確認を示す場合に達成することができる。また別の態様においては、ターゲットコンピューティングデバイスのユーザ確認用のプロンプトを表示するステップが、ユーザ識別子を、発見されたコンピューティングデバイスから、確立された無線リンクを介して受け取るステップと、受け取ったユーザ識別子を使用して、コンタクトデータベースから画像を取得するステップと、取得した画像を、ターゲットコンピューティングデバイスのユーザ確認用のプロンプトとして表示するステップとを含むことができる。
【０００６】
別の態様においては、方法は、ローンチパッド(launch pad)を、タッチスクリーンユーザインターフェイス上に表示するステップをさらに含むことができ、ここで、ファイル共有ジェスチャを検出するステップが、タッチイベント開始点または終了点を、表示されたローンチパッドと比較することによって達成され得る。
【０００７】
別の態様においては、方法は、発見された近くのコンピューティングデバイスの判定された相対的な位置についての視覚的指標を含むレーダマップ画像を表示するステップをさらに含むことができる。また別の態様においては、ファイル共有メッセージを送信するステップが、ファイルを送信するようにターゲットコンピューティングデバイスに要求するメッセージを送信するステップを含む。別の態様においては、方法は、アクセスデータをターゲットコンピューティングデバイスに送信するステップをさらに含むことができ、ここでアクセスデータは、要求されたファイルが送信されるべきアドレスを含む。
【０００８】
別の態様において、方法は、検出されたファイル共有ジェスチャが、曲線経路を含むかどうか判定するステップをさらに含むことができ、ターゲットコンピューティングデバイスを識別するステップが、相対的な別のコンピューティングデバイスの後ろに位置したコンピューティングデバイスを選択するステップを含むことができる。別の態様においては、方法は、検出されたファイル共有ジェスチャが、他のコンピューティングデバイスから離れる方向へ向けられているかどうか判定するステップと、ファイル共有ジェスチャの方向およびコンピューティングデバイスディスプレイの縁に基づいて、間接的経路を計算するステップとをさらに含むことができ、ここで、ターゲットコンピューティングデバイスを識別するステップは、計算された間接的経路および発見された近くのコンピューティングデバイスの判定された位置に基づくことができる。
【０００９】
別の態様は、プロセッサと、プロセッサに結合されたディスプレイと、プロセッサに結合されたタッチセンシティブ面と、プロセッサに結合されたメモリと、プロセッサに結合された少なくとも1つの無線送受信機とを備えた移動デバイスであり、ここで、プロセッサは、種々の態様の方法の動作を実行するために、プロセッサにより実行可能な命令を備えて構成されている。
【００１０】
別の態様は、種々の態様の方法の動作に関わる機能を達成するための手段を備えた移動デバイスである。
【００１１】
別の態様は、種々の態様の方法に関わる処理を達成するための少なくとも1つの命令を含むコンピュータが実行可能な命令を格納するコンピュータ可読媒体を備えた、コンピュータプログラム製品である。
【００１２】
本明細書に組み込まれ、この明細書の部分を構成する添付の図面は、本発明の例示的な態様を示す。図面は、上記の一般的な説明および下記の詳細な説明と併せて、本発明の特徴を説明する役割を果たす。
【図面の簡単な説明】
【００１３】
【図１】ユーザのジェスチャに基づいてファイル共有機能を実施するための、一態様の方法の処理流れ図である。
【図２Ａ】種々の態様で使用するのに適した通信ネットワークコンポーネント図である。
【図２Ｂ】図2Aのネットワークのコンポーネント間の通信を示すメッセージ流れ図である。
【図３】一態様による、タッチによるファイル共有機能の作動を示す、ポータブルコンピューティングデバイスの正面図である。
【図４Ａ】一態様による、ファンクションキーを使用することによるファイル共有機能の作動を示す、ポータブルコンピューティングデバイスの正面図である。
【図４Ｂ】一態様による、ファンクションキーを使用することによるファイル共有機能の作動を示す、ポータブルコンピューティングデバイスの正面図である。
【図４Ｃ】一態様による、ファンクションキーを使用することによるファイル共有機能の作動を示す、ポータブルコンピューティングデバイスの正面図である。
【図４Ｄ】一態様による、ファンクションキーを使用することによるファイル共有機能の作動を示す、ポータブルコンピューティングデバイスの正面図である。
【図５Ａ】一態様による、ソフトキーを使用することによるファイル共有機能の動作を示す、ポータブルコンピューティングデバイスの正面図である。
【図５Ｂ】一態様による、ソフトキーを使用することによるファイル共有機能の動作を示す、ポータブルコンピューティングデバイスの正面図である。
【図６Ａ】一態様による、ジェスチャを使用するファイル共有機能の動作を示す、ポータブルコンピューティングデバイスの正面図である。
【図６Ｂ】一態様による、ジェスチャを使用するファイル共有機能の動作を示す、ポータブルコンピューティングデバイスの正面図である。
【図７】一態様による、複数のローンチパッドを含むディスプレイを示す、ポータブルコンピューティングデバイスの正面図である。
【図８】一態様による、レーダマップを含むディスプレイを示す、ポータブルコンピューティングデバイスの正面図である。
【図９】一態様による、はじくジェスチャを使用したファイルの送信を示す、ポータブルコンピューティングデバイスの正面図である。
【図１０】一態様による、手のはじくジェスチャを使用したファイルの送信を示す、ポータブルコンピューティングデバイスの正面図である。
【図１１】一態様による、はじくジェスチャの方向および速度に基づいたファイルの送信を示す、ポータブルコンピューティングデバイスの正面図である。
【図１２】一態様による、ファイルを送信するための曲線形ジェスチャを示す、ポータブルコンピューティングデバイスの正面図である。
【図１３】一態様による、はじくジェスチャのパラメータおよび傾き角度に基づいた、ターゲットデバイスへのファイルの送信を示す、ポータブルコンピューティングデバイスの正面図である。
【図１４】一態様による、跳ね返りジェスチャを使用したファイルの送信を示す、ポータブルコンピューティングデバイスの正面図である。
【図１５】一態様による、コンピューティングデバイスが向いている方向およびはじくジェスチャに基づいたファイルの送信を示す、ポータブルコンピューティングデバイスの正面図である。
【図１６Ａ】一態様による、ドラッグアンドドロップ動作によるファイルの送信を示す、ポータブルコンピューティングデバイスの正面図である。
【図１６Ｂ】一態様による、ドラッグアンドドロップ動作によるファイルの送信を示す、ポータブルコンピューティングデバイスの正面図である。
【図１７】一態様による、表示されたプロフィール写真に基づいたファイルの送信を示す、ポータブルコンピューティングデバイスの正面図である。
【図１８】一態様による、レーダマップ表示内でドラッグアンドドロップ動作を使用したファイルの送信を示す、ポータブルコンピューティングデバイスの正面図である。
【図１９】一態様による、ファイルの送信の確認を示す、ポータブルコンピューティングデバイスの正面図である。
【図２０】一態様による、ファイルの送信の確認を示す、ポータブルコンピューティングデバイスの正面図である。
【図２１Ａ】一態様による、ファイル要求機能の起動およびファイル送信の要求を示す、ポータブルコンピューティングデバイスの正面図である。
【図２１Ｂ】一態様による、ファイル要求機能の起動およびファイル送信の要求を示す、ポータブルコンピューティングデバイスの正面図である。
【図２２】一態様による、はじくジェスチャを使用したファイル転送の要求を示す、ポータブルコンピューティングデバイスの正面図である。
【図２３】一態様による、コンピューティングデバイスを向けることおよびはじくジェスチャの使用によるファイル転送の要求を示す、ポータブルコンピューティングデバイスの正面図である。
【図２４】一態様による、コンピューティングデバイスを向け、所定の要求パラメータをローンチパッド内にドラッグアンドドロップすることによるファイル転送の要求を示す、ポータブルコンピューティングデバイスの正面図である。
【図２５】一態様による、プロフィール写真を使用してファイル転送を要求するためのターゲットデバイスの識別を示す、ポータブルコンピューティングデバイスの正面図である。
【図２６】一態様による、識別されたデバイスアイコンを、レーダマップ表示内のローンチパッドの中にドラッグアンドドロップすることを用いたファイル転送の要求を示す、ポータブルコンピューティングデバイスの正面図である。
【図２７】一態様による、はじくジェスチャを使用してファイル転送を要求することを示す、ポータブルコンピューティングデバイスの正面図である。
【図２８】一態様による、手のジェスチャを使用してファイル転送を要求することを示す、ポータブルコンピューティングデバイスの正面図である。
【図２９】一態様による、ターゲットデバイスの識別を確認するための方法を示す、ポータブルコンピューティングデバイスの正面図である。
【図３０】一態様による、ターゲットデバイスの識別を確認するための方法を示す、ポータブルコンピューティングデバイスの正面図である。
【図３１】種々の態様での使用に適したコンピューティングデバイスのシステムブロック図である。
【図３２】タッチ面上でタッチを用いてファイル共有機能を起動するための、態様の方法の処理流れ図である。
【図３３】ファンクションキーおよびソフトキーを用いてファイル共有機能を起動するための、態様の方法の処理流れ図である。
【図３４】タッチジェスチャを用いてファイル共有機能を起動するための、態様の方法の処理流れ図である。
【図３５】近くのデバイスを発見するための、態様の方法の処理流れ図である。
【図３６】近くのデバイスに位置データを要求し、コンピューティングデバイスに対する近くのデバイスの相対的な位置を表示するための、態様の方法の処理流れ図である。
【図３７】信号三角測量を使用して、近くのデバイスの位置を判定するための、態様の方法の処理流れ図である。
【図３８】タッチジェスチャに基づいてファイルの送信を開始するための、態様の方法の処理流れ図である。
【図３９】ドラッグアンドドロップタッチジェスチャに基づいてファイルの送信を開始するための、態様の方法の処理流れ図である。
【図４０】描かれたタッチジェスチャが楕円かどうか判定するための、態様の方法の処理流れ図である。
【図４１】近くのデバイスの識別を確認するための、態様の方法の処理流れ図である。
【図４２】ファイル送信のユーザ許可を取得するための、態様の方法の処理流れ図である。
【図４３】ファイル送信を受け取るためのユーザ許可を取得するための、態様の方法の処理流れ図である。
【図４４】ファイル要求機能を実施するための、態様の方法の処理流れ図である。
【図４５】タッチジェスチャを使用してファイル送信を要求するための、態様の方法の処理流れ図である。
【図４６】ファイル共有要求に応答してファイルを送信するための、態様の方法の処理流れ図である。
【図４７】種々の態様での使用に適した例示的なポータブルコンピューティングデバイスのコンポーネントブロック図である。
【発明を実施するための形態】
【００１４】
種々の態様を、添付の図面を参照して詳細に説明する。可能であれば、同じまたは類似の部分を指すために、図面全体を通して同一の参照符号を使用する。特定の例および実施形態の参照は、例示のためであり、本発明または特許請求の範囲を制限することは意図しない。
【００１５】
「例示的」という語は、本明細書では、「例(example)、実例(instance)、または例示(illustration)として機能する」ことを意味するために使用される。本明細書において「例示的」と記載されている任意の実施形態は、必ずしも他の実施形態に対して好ましいまたは有利であるとは解釈されない。
【００１６】
「はじくジェスチャ」という用語は、本明細書では、タッチスクリーンユーザインターフェイス上の一方向に描かれた直線または曲線のタッチジェスチャを意味するために使用される。
【００１７】
本明細書では、「タッチスクリーン」は、結合された画像ディスプレイをもつタッチ検知型入力デバイスまたはタッチセンシティブ入力デバイスである。本明細書では、「タッチパッド」は、結合された画像ディスプレイをもたないタッチ検知型入力デバイスである。タッチパッドは、画像表示領域の外部の、電子デバイスの任意の面に実装され得る。タッチスクリーンおよびタッチパッドは、本明細書では総称的に「タッチ面」と呼ばれる。タッチ面は、タッチスクリーンディスプレイなどの、電子デバイスと一体になった部分であってよく、またはタッチパッドなどの、有線または無線データリンクによって電子デバイスに結合することができる別個のモジュールであってもよい。タッチスクリーン、タッチパッドおよびタッチ面という用語は、以下では互換可能に使用され得る。
【００１８】
本明細書では、「パーソナル電子デバイス」、「コンピューティングデバイス」、および「ポータブルコンピューティングデバイス」という用語は、セルラー電話、個人情報端末(PDA)、パームトップコンピュータ、ノート型コンピュータ、パーソナルコンピュータ、ワイヤレス電子メール受信機、セルラー電話受信機(例えば、Blackberry(登録商標)およびTreo(登録商標)デバイス)、マルチメディアインターネットが可能なセルラー電話(例えば、Blackberry Storm(登録商標))、および類似の電子デバイスのうちのいずれか1つまたはすべてを指し、これらは、プログラム可能なプロセッサ、メモリ、ネットワーク(例えば、無線ネットワーク)と通信するための送受信機、および接続されたまたは一体になったタッチ面または他のポインティングデバイス(例えば、コンピュータマウス)を備える。本発明の種々の態様を示すために用いられる例示的な態様において、電子デバイスは、一体になったタッチスクリーンディスプレイを備えたセルラー電話である。しかし、この態様は、単に種々の態様のうちの1つの例示的な実施形態として存在しており、したがって、特許請求の範囲に記載する主題についての他の可能性のある実施形態を排除することは意図しない。
【００１９】
本明細書では、「タッチイベント」は、タッチの位置または相対的位置に関する情報を含み得る、タッチ面上で検出されたユーザ入力を指す。例えば、タッチスクリーンまたはタッチパッドのユーザインターフェイスデバイス上で、タッチイベントは、ユーザがデバイスをタッチしたことの検出を指し、タッチされたデバイス上の位置に関する情報を含み得る。
【００２０】
本明細書では、「経路」という用語は、タッチイベントの間、グラフィカルユーザインターフェイス(GUI)ディスプレイ内に経路を描く一続きのタッチイベント位置を指す。また、本明細書では、「経路イベント」という用語は、タッチイベントの間、経路を描くタッチ面上で検出されるユーザ入力を指す。経路イベントは、描かれた経路を構成するタッチイベントの(例えば、GUIディスプレイ内の)位置または相対的位置に関する情報を含むことができる。
【００２１】
電子技術の進歩によって、コンピューティングデバイスは、個人データの格納および共有にますます使用されるようになっている。写真、動画、Eメール、URL、アプリケーション、コンタクト、およびテキストメッセージは、ユーザが格納し、また他のコンピューティングデバイスとの間で共有するデータの例である。多様な有線および無線通信ネットワークを介してユーザがファイルを共有できるようにする、多種多様な利用可能なファイル共有方法が、現在利用できる。例えば、Eメールは、インターネットプロトコル(IP)のデータグラムにおいて、有線および無線(例えば、WiFiおよびセルラーデータネットワーク)を介してEメールアドレスへ送信され、ショートメッセージサービス(SMS)およびマルチメディアメッセージングサービス(MMS)のメッセージは、セルラー電話ネットワークを介してデバイスの電話番号へ送信され、あるIPアドレスでアクセスしたウェブサイトからのダウンロードファイルおよびウェブページは、有線および無線ネットワークを介して送信され、データは、2つのコンピューティングデバイスの間で短距離のBluetooth（登録商標）無線通信リンクを介して交換することができ、データは、近距離無線通信(NFC)技術を使用して、極短距離で通信することができる。
【００２２】
複数のコンピューティングデバイス間で情報を転送するために利用可能な通信リンクの多種多様さにも関わらず、現在のユーザインターフェイスシステムは、ユーザに、Eメールアドレス、電話番号またはIPアドレスなどの、物質界と知覚的つながりのない情報を入力することを要求する。Apple iPhone(登録商標)用のBumpおよびMoveファイル共有アプリケーションに設けられるような、コンピューティングデバイスのタッチスクリーン上で指ジェスチャを描くことによって、例えば複数ユーザがファイルを共有できるようにする、より直観的なインターフェイスは、すべての通信デバイスが同じネットワーク内にあることを必要とし、また、サーバおよびインターネット接続が、送信機と受信機を対にするのを助けることを必要とする。要するに、コンピューティングデバイス間でファイルを共有するための既知の方法は、直観的でないか、または特定のネットワークに限定されているかのいずれかである。
【００２３】
種々の態様の方法およびシステムは、直観的意味をもつジェスチャにファイル転送機能をリンクさせることによって、ユーザが認知的かつ身体的にデータの通信(すなわち、ファイルを共有すること)を行えるようにする。自然界においては、物体の送達は、認知的意図と物理的行動が組み合わさって、ある人から別の人への物体の搬送が可能になったときに生じる。種々の態様において、ファイルを送信する処理は、近くのコンピューティングデバイスのファイルが物理的物体だった場合に実施されるはずの動作に似たユーザの物理的動作に結びついている。コンピューティングデバイスは、他の近くのコンピューティングデバイスの存在および相対的な位置に関する情報を集めることができる。そのような存在データは、近くのコンピューティングデバイスの位置パラメータ(例えば、GPS座標)およびアクセスデータ(例えば、電話番号またはEメールアドレス)を含むことができる。ある人が、素早い指の動きで別の人に向けて紙をはじくことによって、その人にその紙を送るのと同様に、種々の態様は、ユーザが、ファイルを選択し、ターゲットコンピューティングデバイスの物理的な位置を決定し、はじくジェスチャなどの直観的かつ物理的な動作を用いて、ファイルを他のコンピューティングデバイスに送信できるようにする。同様に、種々の態様は、コンピューティングデバイスが、自分に向けたストロークジェスチャを用いることによって、別のコンピューティングデバイスにファイルの送信を要求できるようにしてもよい。
【００２４】
種々の態様のファイル共有機能は、任意のタイプのタッチ面に実装することができる。特に有用な応用では、タッチ面は、指でタッチされるタッチスクリーンであり、タッチスクリーンは、一般に、表示画像に重ね合わされているので、タッチスクリーンによって、ユーザは指のタッチで表示画像と相互作用できるようなる。そのような応用において、ユーザは、指でタッチスクリーンをタッチし、ジェスチャを描くことによって画像と相互作用し、したがって、タッチスクリーンを起動するユーザの指は、ポインティングデバイスとして働く。タッチスクリーンのタッチイベント取得(すなわち、タッチスクリーン上の指タッチの検出)および処理は、よく知られており、例えば、そのすべての内容全体が参照により本明細書に組み込まれる米国特許第6,323,846号に開示されたものなどがある。
【００２５】
図1は、種々の態様による、ユーザの直観的なジェスチャに応答してファイル共有機能を実施する方法100の処理流れ図を示す。方法100では、コンピューティングデバイスは、ブロック102においてファイル共有機能を起動することによって、あるデバイスのユーザが、ファイルを別のコンピューティングデバイスとの間で共有できるようになるように構成されていてもよい。このファイル共有機能は、コンピューティングデバイス上で、プロセッサにより実行可能な命令で実施される処理のセットを含むアプリケーションまたはオペレーティングシステム機能であってもよく、コンピューティングデバイスは、ファイル共有用のユーザインターフェイスを提供し、ユーザのジェスチャを検出および解釈し、共有されるべきファイルおよび宛先を決定し、受取り側デバイスとファイル転送について取り決め、適切かつ利用可能な通信ネットワークを介してファイルを送信する。この機能は、本明細書に記載の態様の処理とともに、適切なデータ通信プロトコルの実施形態などのよく知られている処理を有する。参照しやすくするために、そのような処理を可能にするまたは包含するアプリケーションまたはオペレーティングシステム機能は、本明細書においてファイル共有機能と呼ばれる。ブロック102において、コンピューティングデバイスは、自動的に、または具体的なユーザ入力に応答してファイル共有機能を起動することができる。例えば、ファイル共有機能は、ファイルがユーザによってアクセスされたときに自動的に起動してもよく、それによって、所望の場合は、ユーザは、アクセスされたファイルを共有できるようになる。別の例として、図3〜6を参照して以下により詳細に記載するように、ユーザは、ボタンを押すまたは特定のタッチジェスチャを入力することによって、ファイル共有機能を手動で起動することができる。
【００２６】
方法100のブロック104において、ファイル共有機能を実施するコンピューティングデバイスは、ユーザが、別のコンピューティングデバイスとの間で共有されるべきファイルを識別できるようにすることが可能である。例えば、ユーザインターフェイスは、例えばタッチスクリーンディスプレイ上でタッチすることによって、ユーザがファイルを選択することができる、ファイルのメニュー、リスト、またはサムネイル表示を提示することができる。ファイルを選択するための任意の既知の方法が使用できる。
【００２７】
方法100のブロック106において、例えば、Bluetooth(登録商標)またはZigBee(登録商標)の無線通信技術を使用することによって、ファイル共有機能の起動は、無線通信リンクを使用してコンピューティングデバイスに近くのコンピューティングデバイスを発見させることができる。近くのコンピューティングデバイスとの無線通信リンクを確立するために使用される無線通信技術のタイプに応じて、コンピューティングデバイスは、比較的近い距離に位置する他のコンピューティングデバイスを発見することができる。例えば、Bluetooth(登録商標)送受信機を備えて構成されたコンピューティングデバイスは、使用するBluetooth(登録商標)のパワークラスに応じて、約100メートル以内に位置する装備されているかのようなコンピューティングデバイスの存在を発見するように構成されていてもよい。Bluetooth(登録商標)は、主として低電力消費、低コストの送受信マイクロチップを備えたデバイス間での近距離(以下のパワークラスに依存:1メートル、10メートル、100メートル)通信用に設計された標準的な通信プロトコルである。Bluetooth(登録商標)は、これらのデバイスが範囲内にあるときに、互いに通信できるようにする。よく知られているように、Bluetooth(登録商標)通信プロトコルは、他の近距離無線通信プロトコル(例えば、ZigBee(登録商標)およびNFCプロトコル)のように、自動的デバイス発見およびリンク確立信号方式を提供する。この自動的リンク確立機能は、受取り側デバイスに認識されるあらかじめ定義された周波数およびあらかじめ定義されたフォーマットでの送信のセットを含み、その2つのデバイスが、それらの間で無線通信リンクを確立するための無線リンク確立のハンドシェーク通信を開始できるようにする信号で応答するように、受取り側デバイスに促す。種々の態様は、そのような自動的デバイス発見および無線通信リンク確立機能を活用して、コンピューティングデバイスが、近くの他のコンピューティングデバイスの位置を特定できるようにする。コンピューティングデバイスは、無線周波数(RF)通信を使用して互いを発見するので、2つのコンピューティングデバイスは、ファイル転送をそれらの間で可能にするために、見通し線上にある必要はな
い。
【００２８】
近くのコンピューティングデバイスを発見することの一部として、ブロック108において、コンピューティングデバイスは、さまざまな方法を使用して、近くのコンピューティングデバイスの位置を受け取ることができる。一態様において、コンピューティングデバイスは、ブロック108において、近くのコンピューティングデバイスの緯度および経度の正確な座標を、コンピューティングデバイス内の全地球測位システム(GPS)受信機から受け取ることによって近くのコンピューティングデバイスの位置を判定することができる。別の態様においては、ブロック108において、コンピューティングデバイスは、図40を参照して以下により詳細に述べるように、受け取ったRF信号および三角測量による計算からの信号強度および到着時間情報を使用することによって、近くのコンピューティングデバイスの相対的な位置を判定することができる。
【００２９】
任意選択で、ブロック110において、コンピューティングデバイスは、近くのコンピューティングデバイスの相対的な位置が判定されると、近くのコンピューティングデバイスの位置をマップ化し、そのマップをディスプレイGUI内に表示することができる。マップ化された近くのコンピューティングデバイスの位置は、近くのコンピューティングデバイスの位置を、視覚的指標(例えば、ドット)を用いて示すレーダマップタイプの表示などで、コンピューティングデバイスの位置と比較して表示することができる。そのようなレーダマップ表示の例を、以下により詳細に述べる図8に示してある。ディスプレイGUIはまた、ファイル共有機能を利用しながらユーザを導くための他のグラフィックを含むこともできる。例えば、「ローンチパッド」グラフィックは、ユーザが、ファイルを共有するためにさまざまなジェスチャを描くことができる領域を提供するために提示することができる。
【００３０】
ファイル共有機能が起動され、近くのコンピューティングデバイスの位置が判定されると、ブロック112において、コンピューティングデバイスは、選択されたファイルを別のコンピューティングデバイスとの間で共有することをユーザが望んでいるかどうか、ファイル転送ジェスチャを検出することによって判定することができる。本明細書でより詳しく説明するように、コンピューティングデバイスは、コンピューティングデバイスのタッチスクリーンまたはタッチ面上のユーザタッチに基づいて、ファイル転送ジェスチャを検出および認識するように構成されていてもよい。
【００３１】
種々の態様によれば、さまざまなファイル転送ジェスチャが、コンピューティングデバイス間のファイルの送信を開始するために使用され得る。そのようなジェスチャは、指ジェスチャおよび手のジェスチャを含んでいてもよい。指ジェスチャは、デバイスのタッチスクリーンディスプレイ上に描かれるジェスチャを含むことができる。手のジェスチャは、近くにあるすべてのコンピューティングデバイスにファイルを送るために、タッチスクリーン上で花の花びらのようにすべての指を開くこと、または近くにあるすべてのコンピューティングデバイスからファイルを受け取るために指を閉じることを含み得る。これらのファイル転送ジェスチャのそれぞれは、図3〜30を参照して以下により詳細に記載するように、コンピューティングデバイス間のデータの送信を開始するために使用することができる。例えば、別のデバイスとファイルを共有するために、ユーザは、はじくジェスチャを別のデバイスの方向に用いて、コンピュータデバイスに、それがファイルの意図された受信者を識別し、意図されたコンピューティングデバイスへの、選択されたファイルの送信を開始するために必要とする情報を提供することができる。
【００３２】
ブロック114において、コンピューティングデバイスは、ファイル転送ジェスチャ、例えばその方向、距離、速度など、またコンパス方位および傾き角度などのコンピューティングデバイスの向き、ならびに相対的な近くのコンピューティングデバイスの位置に関する情報に基づいて、選択されたファイルを送ることをユーザが意図された、ターゲットとなる近くにある特定のコンピューティングデバイスを識別することができる。
【００３３】
コンピューティングデバイスは、軌道または方向を計算して、選択されたファイルを受け取ることになる近くのコンピューティングデバイスを識別するためにデバイスプロセッサが使用できる情報を提供することができるさまざまなセンサに備え付けることができる。例えば、コンピューティングデバイスは、ジェスチャの方向に対するコンピューティングデバイスの向きを判定するためのコンパスを備えていてもよい。別の例として、コンピューティングデバイスは、重力ベクトルデータを提供することができる加速度計のセットを備えていてもよく、重力ベクトルデータは、プロセッサが、コンピューティングデバイスの傾き角度を判定するために使用することができる。
【００３４】
任意選択で、ブロック116において、コンピューティングデバイスは、ユーザに、選択されたファイルを、ターゲットコンピューティングデバイスとの間で共有することを確認または許可するように促すように構成されていてもよい。また、ブロック116において、コンピューティングデバイスは、ターゲット受信者のコンピューティングデバイスから、デバイスがファイルを受け入れるかどうかを示すメッセージを受け取ることができる。確認および/または許可処理を設けることで、ユーザは、意図された受信者のコンピューティングデバイスが選択されたことを確認できるようになり、また、意図された受信者は、ファイルを受け入れるかどうか決定することができるようになる。そのような対策は、誤ったコンピューティングデバイスへのファイルの送信を防止し、それらのコンピューティングデバイスに送信されるファイルに対する制御を、受信者ユーザに与えることができる。許可メッセージを送信する代わりに、ターゲットコンピューティングデバイスは、単に、要求側コンピューティングデバイスに、ファイル転送を完了するために使用できるBluetooth（登録商標）識別、Eメールアドレス、または電話番号などの通信アクセスデータを提供することができる。
【００３５】
受信機側で、ファイルを受け取る許可は、多様な方法で可能にされ得る。例えば、ユーザは、近くのコンピューティングデバイスからのファイル送信を常に受け入れるように、それらのコンピューティングデバイスを構成することができる。別の例において、コンピューティングデバイスが、ファイルを受け取る要求を受け取ったとき、デバイスプロセッサは、そのデバイスのユーザに保留状態のファイル転送要求を知らせる、また任意選択で、ファイルを送ったユーザの識別およびファイル名または種類を知らせるプロンプトを生成することができる。次いで、意図された受信者ユーザは、キーまたはGUI上の仮想キーを押して、ファイルの転送を受け入れるか、または拒否するかのいずれかを行うことができる。また別の例において、ユーザは、コンタクトデータベースにあるものなどの、ある知られているコンピューティングデバイスとのファイル共有を自動的に受け入れ、また、ユーザ入力に、知られていないコンピューティングデバイスからのファイル転送を許可することを求める許可状態を設定することができる。そのようなファイル転送受け入れ基準は、ユーザの好みに基づいてカスタム設定の中で定義することができる。
【００３６】
ブロック106において近くのコンピューティングデバイスを発見すること、またはブロック116においてファイルを送信する許可を受け取ることの一部として、受信者のコンピューティングデバイスは、ファイル送信を達成するために送信側コンピューティングデバイスが使用するアクセスデータを提供することができる。そのようなアクセスデータは、送信用にファイルをアドレスするために送信側コンピューティングデバイスが使用できる電話番号(SMSまたはMMSメッセージ用)、Eメールアドレス、またはIPアドレスなどの、受信者のコンピュータデバイスのアドレスを含むことができる。アクセスデータはまた、ファイルを送信するために使用されるべき好ましい通信方法および通信ネットワークを識別することもできる。例えば、受取り側デバイスは、NFC、Bluetooth(登録商標)またはWiFi直接通信リンクなどの直接通信リンクを介してファイルが送信され得ることを識別することができる。あるいは、受取り側デバイスは、セルラーデータ通信リンクまたはWiFi通信リンクなどの間接的通信ネットワークを介してファイルがサーバ(例えば、Eメールサーバ)に送信され得ることを識別することができる。さらに、発見処理および/または許可処理(ブロック106および/または116)の一部として、送信側であり、意図された受信者のコンピューティングデバイスは、ファイル転送に使用するための相互に受け入れ可能な通信ネットワークを取り決めることができる。
【００３７】
意図された受信者のコンピューティングデバイスが識別され、ファイルの転送が確認および/または許可されると、ブロック118において、コンピューティングデバイスは、識別されたアクセスデータおよび通信ネットワークを使用して、選択されたファイルをターゲットデバイスへ送信することができる。
【００３８】
図2Aの通信ネットワーク図に示されるように、通信ネットワーク200は、Bluetooth(登録商標)無線通信リンクなどの近距離無線通信リンク11を使用して互いに通信するように構成されているコンピューティングデバイス10a〜10cを含み得る。コンピューティングデバイス10a〜10cはまた、デバイスとセルラー基地局13の間の無線通信リンク12を介して、セルラー通信ネットワーク14と通信することもできる。そのようなセルラー通信ネットワーク14は、セルラー電話ネットワーク、またはインターネット16に結合されたWiFiホットスポットネットワークであってもよい。ファイルの種類、利用可能な近距離無線通信リンク11、および提供されるアクセスデータに応じて、コンピューティングデバイス10a〜10cは、一方のデバイスから他方のデバイスへ、デバイス間の無線リンク(例えば、Bluetooth(登録商標)またはNFC通信リンク)を介して直接的に、かつ/あるいはセルラーシステム(SMSまたはMMS)またはインターネットへの無線リンクなど(例えば、ウェブページまたはEメールサーバ18を介して)を介して間接的にファイルを共有することができる。例えば、互いにBluetooth(登録商標)リンクを確立することができるコンピューティングデバイス10a〜10cは、アクセスデータおよびファイルを、Bluetooth(登録商標)通信リンクを使用して直接的に交換することができる。別の例として、コンピューティングデバイス10a〜10cは、Bluetooth(登録商標)リンクを介してアクセスデータを交換することができ、またアクセスデータが、ファイルを送信するために電話番号を指定するとき、コンピューティングデバイス10a〜10cは、セルラー電話アクセスポイント12を介してセルラーネットワーク14へ送信されるSMSまたはMMSメッセージとして、選択されたファイルを送信することができる。セルラーネットワークは、セルラーアクセスポイント12を介して、SMS/MMSメッセージを受信者のデバイスへ中継する。コンピューティングデバイス10a〜10c間で交換されたアクセスデータが、Eメールアドレスを含むとき、送信側コンピューティングデバイス10aは、セルラーアクセスポイント12からセルラーネットワーク14を介して、EメールをEメールサーバ18に送信することによって、選択されたファイルをEメールによって送信することができ、セルラーネットワーク14は、インターネット16を介してEメールメッセージを中継するものである。Eメールサーバ18は、Eメールを受信し、意図された受信者を識別し、インターネット16からセルラーネットワーク14を介して、意図されたコンピューティングデバイス10bまたは10cにEメールを送達することができ、セルラーネットワーク14は、セルラーアクセスポイント12を介してEメールを送信するものである。
【００３９】
上記の例では、セルラー電話ネットワークを介してファイルを送信しているが、メッセージは、WiFi、WiMaxまたはMiFiネットワークなどの別のタイプの無線通信ネットワークを介して、同様に送信されてもよい。さらに、コンピューティングデバイス10a〜10cは、信号強度、信頼性、コスト、およびアクセス権を含む多様な要因に基づいて、いくつかの代替無線ネットワーク(例えば、セルラー、WiFiおよびMiFi)の中から選択するように構成されていてもよい。また、1つの無線ネットワークを介して1つのコンピューティングデバイス10aによって送信されるファイルは、異なる無線ネットワークを介して、受信者のコンピューティングデバイス10bによって受け取られてもよい。例えば、送信側コンピューティングデバイス10aは、セルラー電話データの通信リンクを介して、選択されたファイルを受信者のデバイスのEメールアドレスに送信することができるが、受信者のコンピューティングデバイスは、インターネットに結合されたローカルWiFi無線ホットスポットを介して、そのEメールサーバからEメールを受け取ることができる。外部網およびインターネットを介してメッセージが経路指定される方法はよく知られており、したがって、本明細書ではこれ以上記載しない。
【００４０】
移動デバイス間の通信は、可視光線もしくは赤外線または超音波によって達成することができるので、種々の態様もまた、無線周波数の無線通信には限定されない。例えば、種々の態様で使用されるメッセージは、いくつかの移動デバイス機種に含まれている赤外線送受信機などのよく知られている技術を使用し、赤外線データリンクを介して送信され得る。別の例として、種々の態様で使用されるメッセージは、可視光線によって、ある移動デバイス上の小さなプロジェクタ(例えば「ピコプロジェクタ」)などで送信することができ、このプロジェクタは、画像を交換するために第2の移動デバイス上のカメラに狙いを定めることができる。また別の例として、超音波放射体および受信機に備え付けることができる将来の移動デバイスは、無線周波数通信と類似の形で、超音波を使用して近距離にわたってデータを通信するように構成されていてもよい。
【００４１】
図2Aを参照しながら上で説明した通信ネットワークの異なるコンポーネント間で生じる代表的な通信を、図2Bに示してある。起動されたファイル転送機能を有するコンピューティングデバイス10aは、デバイス発見信号であるメッセージ20を送ることによって、近くのコンピューティングデバイス10aを発見することができる。他方のコンピューティングデバイス10bは、デバイス発見信号を受け取ると、応答メッセージ22を送信することができる。デバイス発見信号および応答信号は、メッセージ23でデバイスに通信リンクの取決めを可能にさせるための、コンピューティングデバイス10a、10bに関するデバイス識別情報を含み得る。デバイスの発見、応答、およびハンドシェークメッセージのフォーマットは、デバイス間の通信に使用される特定の通信プロトコル(例えば、Bluetooth(登録商標))によって定義される。応答メッセージ22またはハンドシェークメッセージ23の一部として、応答側コンピューティングデバイス10bは、そのアクセスデータ、その位置(例えば、GPS座標の形で)などのデバイスに関する情報を提供することができ、また任意選択で、所有者の名前または写真などの、その所有者に関する情報を提供することができる。検出されたジェスチャに基づいて、送信側コンピューティングデバイス10aは、ユーザが特定のファイルをターゲットコンピューティングデバイス10bとの間で共有することを望んでいると判定することができる。ファイル送信を達成するために、送信側コンピューティングデバイス10aは、メッセージ24で、問い合わせをターゲットコンピューティングデバイス10bに送って、ファイルおよびファイルの送信に使用するアクセスデータを送信する許可を要求することができる。その所有者の好みに基づいて、また、送信側コンピューティングデバイス10aから受け取った問い合わせメッセージ24に応答して、ターゲットコンピューティングデバイス10bは、要求されたアクセスデータをメッセージ26で送信することによって、応答することができる。
【００４２】
送信側コンピューティングデバイス10aに送られたアクセスデータが、確立されたデバイス間の通信リンク(例えば、Bluetooth(登録商標)リンク)を介してファイルが送信されるべきであると指定した場合、送信側コンピューティングデバイス10aは、メッセージ28において、ファイルをターゲットコンピューティングデバイス10bに直接送信することができる。
【００４３】
送信側コンピューティングデバイス10aに送られたアクセスデータが、電話番号を指定した場合、送信側コンピューティングデバイス10aは、ファイルを含むSMSまたはMMSメッセージを構成し、メッセージ30で、セルラーネットワーク14、無線アクセスポイント12を介してメッセージを送信することができる。セルラーネットワーク14は、メッセージ32で、電話番号を使用してSMS/MMSメッセージをターゲットコンピューティングデバイス10bへ中継する。
【００４４】
送信側コンピューティングデバイス10aに提供されるアクセスデータが、Eメールアドレスである場合、送信側コンピューティングデバイス10aは、Eメールメッセージを構成し、メッセージ34で、それをセルラーネットワーク14、無線アクセスポイント12(または他の種類の無線ネットワーク)を介して送ることができる。セルラーネットワーク14は、メッセージ36で、インターネット16を介して、アドレス指定されたEメールサーバ18へEメールメッセージを中継することができる。Eメールサーバ18は、Eメールメッセージを格納することができ、アクセスされたとき、メッセージ38で、Eメールメッセージをセルラーネットワーク14へ、インターネット16を介して中継することができ、セルラーネットワーク14は、ターゲットコンピューティングデバイス10bにサービスを提供するものである。セルラーネットワーク14は、メッセージ40で、Eメールメッセージを無線アクセスポイント12を介してターゲットコンピューティングデバイス10bに中継する。アクセスデータがIPアドレスを含む場合、コンピューティングデバイス10aは、セルラーネットワーク14およびインターネット16を介して、そのIPアドレスをもつサーバにアクセスして、EメールメッセージがEメールサーバに送られるのと極めて類似した形でファイルをアップロードすることができる。ターゲットコンピューティングデバイス10bは、セルラーネットワーク14およびインターネット16を介して、同じIPアドレスのサーバにアクセスし、EメールメッセージがEメールサーバから受け取られるのに極めて類似した形でファイルをダウンロードすることができる。
【００４５】
図3〜6は、ユーザがファイル共有機能を起動できるようにするために、コンピューティングデバイス10上に実装され得るさまざまな方法を示す。図3に示すように、コンピューティングデバイス10は、ユーザが、タッチスクリーン308をタッチすることによってファイル共有機能を起動できるように構成されていてもよい。ユーザは、レオナルド・ダ・ビンチの絵などのファイルを開き、指306でタッチスクリーン308をタッチして、ファイル共有機能を起動することができる。ユーザは、ファイル共有機能を起動するために、タッチスクリーン308を一定時間の間タッチすること、および/または特定の位置をタッチすることを必要としてもよい。例えば、ユーザは、ファイル共有機能が起動される前に、タッチスクリーン308をタッチし、少なくとも5秒間タッチを持続することを必要としてもよい。また別の例として、ファイル共有機能は、他の移動デバイス機能が、特定のコマンドを発話することによって起動され得るのと同様に、「このファイルを共有」などの音声コマンドによって起動されてもよい。別法として、ユーザは、ファイル共有機能を起動するために、画面の中央などの、タッチスクリーン308上の特定の位置をタッチすることを必要としてもよい。また別の態様においては、タッチスクリーンディスプレイに加えられるある量の圧力が、ファイル共有機能を起動することができる。図に示すように、ファイル共有機能の起動は、ローンチパッド304などのGUI視覚的指標またはアイコンの表示によって識別され得る。
【００４６】
図4A〜4Dは、コンピューティングデバイス10上のファンクションキー402を使用したファイル共有機能の起動を示す。図4Aに示すように、ユーザは、指306を使用して、ファイル共有機能の起動に関連付けられたファンクションキー402を押すことができる。ファンクションキー402は、具体的には、ファイル共有機能の起動用に指定されていてもよく、または複数の機能用に設計されていてもよい。他の機能がファンクションキー402と関連付けられている場合、図4Bに示すように、ユーザが所望の特定機能を選択できるように、GUIメニュー404が提示されてもよい。図4Cに示すように、ユーザは、「共有」という単語がメニュー404上に現れているときに、指306を使用してそれをタッチすることによって、ファイル共有機能を選ぶことができる。図4Dに示すように、ファイル共有機能の起動は、ローンチパッド304の表示によって識別することができる。
【００４７】
図5A〜5Bは、コンピューティングデバイス10上のソフトキー502を使用したファイル共有機能の作動を示す。図5Aに示されるように、ユーザは、指306でソフトキー502をタッチして、ファイル共有機能を起動することができる。図5Bに示されるように、コンピューティングデバイス10は、ローンチパッド304を表示することによって、ユーザにファイル共有機能の起動について知らせることができる。
【００４８】
図6A〜6Bは、コンピューティングデバイス10のタッチスクリーン308上に描かれるジェスチャを使用した、ファイル共有機能の起動を示す。図6Aに示されるように、ユーザは、指306を使用して、タッチスクリーン308上に、丸印などの閉じた楕円形602を描くことができる。丸印を描くことは、ファイル共有機能を起動するために用いることができるジェスチャの一例でしかなく、他のジェスチャを用いてもよい。コンピューティングデバイス10は、ジェスチャを、ファイル共有機能を起動するものとして検出および識別するように構成されていてもよい。図6Bに示されるように、コンピューティングデバイス10は、ローンチパッド304を表示することによって、ユーザにファイル共有機能の作動について知らせることができる。
【００４９】
上記の例は、種々の態様の範囲を限定することは意図しておらず、他の起動メカニズムを使用してもよい。
【００５０】
図7に示した一態様においては、ファイル共有機能が起動されると、ファイル共有機能の起動を示し、さまざまな方法でユーザがファイルを他のコンピューティングデバイス10との間で共有できるようにするために、2つ以上のローンチパッド304が表示され得る。例えば、ユーザが他のコンピューティングデバイス10にファイルを送信できるようにするために、破線の境界線で同図に示した第1のローンチパッド304aが表示され得る。本明細書に記載するように、ユーザが他のコンピューティングデバイス10にファイルを要求し、そこからファイルを受け取れるようにするために、同図に実線の境界線で示した第2のローンチパッド304bもまた表示され得る。
【００５１】
図8に示した一態様においては、コンピューティングデバイス10は、レーダマップ802を表示することによって、ファイル共有機能が起動していることをユーザに知らせることができる。そのようなレーダマップ表示802は、ドットまたは円などの視覚的指標804を使用して、ユーザコンピューティングデバイス10との間で確立された無線通信リンクを有する他の近くのコンピューティングデバイスの位置を示すことができる。以上説明したように、ファイル共有機能の起動によって開始されたデバイス発見処理の間、近くのコンピューティングデバイスとの無線通信リンクおよびレーダ表示802を作成するために使用されるデバイス位置情報が確立され、交換され得る。近くのコンピューティングデバイスの向きは、ユーザコンピューティングデバイス10の位置と相対的に示され得る。ユーザコンピューティングデバイスの位置は、ローンチパッド304によってレーダマップ802上に示され得る。ユーザが動くにつれて、ローンチパッド304に対するドットの向きが変化し、ユーザの位置に対して変化する他のコンピューティングデバイスの相対位置を示すことができる。レーダマップ802表示は、ユーザの好みに基づいて有効または無効にされ得る。
【００５２】
ファイル共有機能が起動され、近くのコンピューティングデバイスの間で無線リンクが確立されると、リンクしたコンピューティングデバイス間でファイルを共有するために、さまざまな方法が使用され得る。ファイルが共有され得る1つの方法は、別のコンピューティングデバイス10にファイルを送信することによって行われる。ファイルが共有され得る第2の方法は、コンピューティングデバイス10から要求を送信して、別のコンピューティングデバイスに、ファイルをコンピューティングデバイス10に送るよう要求することによって行われる。図9〜18は、他のコンピューティングデバイスへのファイルの送信を開始するために使用され得る、異なる態様のジェスチャを示す。図21〜28は、コンピューティングデバイス10に、他のコンピューティングデバイスに対してファイルを要求させるために使用され得る、異なる態様のジェスチャを示す。
【００５３】
図9に示すように、ユーザコンピューティングデバイス10aは、他のコンピューティングデバイス10b〜10dの近くにあってもよい。典型的な社会的場面において、他のコンピューティングデバイス10b〜10cは、ユーザコンピューティングデバイス10aの周りに位置することがある。他のコンピューティングデバイスと無線リンクを確立することの一部として、コンピューティングデバイス10aは、他のコンピューティングデバイス10b〜10dのそれぞれの位置を判定するように構成されていてもよい。例えば、コンピューティングデバイス10aは、コンピューティングデバイス10b、その前にあるコンピューティングデバイス10c、およびその後ろにあるコンピューティングデバイス10dの存在を判定することができる。コンピューティングデバイス10aは、タッチスクリーン308上でユーザのタッチを検出し、受取り側コンピューティングデバイス10cに向かうジェスチャを描くタッチが、選択された1つまたは複数のファイルを、その特定のコンピューティングデバイス10cとの間で共有したいというユーザの考えを示すことを認識するようにさらに構成されていてもよい。このタッチジェスチャは、タッチスクリーン上で指を素早くはじく形になることがあり、したがって、本明細書において、はじくジェスチャと呼ぶ。図9は、コンピューティングデバイス10cに向けられた矢印902を用いて、はじくジェスチャの方向を破線によって示す。そのような破線902は、ディスプレイ310上に表示されても表示されなくてもよく、これは、ユーザの好みに基づいて構成可能な設定であり得る。コンピューティングデバイス10aは、はじくジェスチャに基づいてターゲットコンピューティングデバイス10cを識別し、その他方のコンピューティングデバイス10cへの選択されたファイルの送信を開始するように構成されていてもよい。すでに検討したように、ファイルの送信は、ファイル転送要求を宛先コンピューティングデバイス10cに送信し、アクセスデータを受信し、受信したアクセスデータ内の情報に従って、利用可能な通信ネットワークを介して、ファイルを送信することを含み得る。図1〜2Bを参照してすでに説明した処理および通信は、バックグラウンドで自動的に達成され得るので、ユーザには、はじくジェスチャが、選択されたファイル
を素早く宛先コンピューティングデバイス10c上に出現させるように見える。このように、ファイルの共有は、単純で直観的な動作において達成される。
【００５４】
はじくジェスチャは、ジェスチャを検出することができる任意の面に適用できることもまた理解されたい。例えば、片面デバイスの裏側または折り畳み式デバイスの上側などの筐体上にタッチセンシティブ面を有する移動デバイスは、ファイルを受け取ることが可能な任意の面上でジェスチャを受け入れることができる。例えば、タッチセンシティブ式の外装を備える折り畳み式移動デバイスは、デバイスの頂面上で、ディスプレイを見るまたはタッチすることなく、はじくジェスチャを行うことによって、ユーザがファイルを転送できるようにすることが可能である。別の例として、ユーザがディスプレイ上のレーダ画面ユーザインターフェイスを見ている間、タッチセンシティブ式の裏面を備える移動デバイスは、筐体の裏に適用されるはじくジェスチャを受け入れることができる。
【００５５】
図10に示したある態様においては、送信側コンピューティングデバイス10aは、送信側コンピューティングデバイス10aと無線でリンクしている近くのコンピューティングデバイス10b、10c、10dのすべてまたはサブセットに、1つまたは複数のファイルを同時に送信するように構成されていてもよい。送信側コンピューティングデバイス10aは、開く手のジェスチャが、発見された近くのコンピューティングデバイス10b〜10dのすべてまたはサブセットとの間で、選択されたファイルが共有され得ることを意味すると認識するように構成されていてもよい。開く手のジェスチャを行うために、ユーザは、片方の手のすべての指先を、タッチスクリーン308上のローンチパッド304内に置き、面をタッチし続けながら、あたかも手を開くかのように、タッチスクリーンディスプレイの境界に向けて指を伸ばすことができる。手のジェスチャの経路を、矢印902を用いて、3本の破線によって図10に示してあり、これは、3つの受取り側コンピューティングデバイス10b〜10dへの、選択されたファイルの送信を示している。そのような破線は、またはタッチスクリーンディスプレイ308上に提示されても提示されなくてもよい。
【００５６】
図11に示したある態様においては、送信側コンピューティングデバイス10aは、送信側コンピューティングデバイス10aと比較しての、受取り側コンピューティングデバイス10cの向きおよび距離に基づいて、受取り側コンピューティングデバイス10cにメッセージを送信するように構成されていてもよい。送信側コンピューティングデバイス10aは、ジェスチャの方向を判定し、ファイルが実在する物体であれば移動することになるであろう距離を、タッチスクリーン308全体にわたるはじくジェスチャの速度に基づいて計算するように構成されていてもよい。はじくジェスチャの方向、およびその速度に基づく計算された移動距離に基づいて、送信側コンピューティングデバイス10aのプロセッサは、ユーザがファイルを送りたい特定のコンピューティングデバイス10cを識別することができる。この態様は、近くにある2つのコンピューティングデバイスが、同じライン方向に沿って位置している状況において、有用であり得る。この態様がなければ、ユーザが、実際に第2のコンピューティングデバイス10cにファイルを送ろうとしたとき、送信側コンピューティングデバイス10aが、はじくジェスチャのラインに沿って、第1のコンピューティングデバイス10bにファイルを送信する可能性がある。図10に示した態様は、あたかもユーザが実在する物体を指ではじいているかのように、ユーザが、はじくジェスチャの速度を変化させることによって、方向ラインに沿った複数の可能性のあるターゲットコンピューティングデバイスから選択できるようにする。ユーザの描いたジェスチャを、ここでは描かれたジェスチャの方向を示すためだけに示した矢印902を用いて点線として図9に示してある。
【００５７】
この態様において、コンピューティングデバイス10は、各ユーザがはじくジェスチャ速度を意図した移動距離と相関させることができるように、訓練可能であるように構成されていてもよい。時間の経過に伴って、ユーザが、タッチスクリーン上ではじくジェスチャを実行することによりファイルを共有するにつれて、コンピューティングデバイス10は、ユーザの癖および異なる経路トレース速度を学習して、デバイスを較正し、ユーザのはじくジェスチャによって、より正確にファイル共有デバイスターゲットを識別することができる。
【００５８】
図12は、ユーザが、曲がったはじくジェスチャを描くことによって、ファイル送信を方向ラインに沿った第2のコンピューティングデバイス10cに向けられるようにする、また別の態様のジェスチャを示す。複数のコンピューティングデバイス10b〜10cが、送信側コンピューティングデバイス10aに対して同じ全体的方向に沿って位置する状況において、送信側コンピューティングデバイス10aは、ユーザが、タッチスクリーン308上で曲線ジェスチャを描いて、その道にある別のコンピューティングデバイス10bを迂回または回避することによって、ターゲットコンピューティングデバイス10cにファイルが送信されるべきことを示せるようにするように構成されていてもよい。曲がったはじくジェスチャの経路を、ローンチパッド304で開始し、コンピューティングデバイス10aのタッチスクリーンディスプレイ308の右側の隅で終了し得る矢印904を用いた点線曲線として図12に示してあり、これは、意図された近くのコンピューティングデバイス10cの方向である。
【００５９】
図13は、コンピューティングデバイスのユーザが、はじくジェスチャを行いながら送信側コンピューティングデバイス10aを上に傾けることによって、別のコンピューティングデバイス10bの後ろに位置する意図された受信者のコンピューティングデバイス10cとの間でファイルを共有できるようにする、また別の態様ジェスチャを示す。この態様は、ユーザが実在する物体をより遠くへはじく様子を模倣することによって、より遠くのコンピューティングデバイスがファイルを受け取るべきであることを示すための直観的メカニズムを提供する。この態様は、複数のコンピューティングデバイス10b〜10dが、送信側コンピューティングデバイス10aに対して同じ全体的方向に沿って位置する状況において有用であり得る。この態様を可能にするために、送信側コンピューティングデバイス10aは、重力傾度に対するデバイスの傾きを検出できる加速度計を備えて構成することができる。コンピューティングデバイスの傾き、ならびにはじくジェスチャの方向および速度を判定することによって、コンピューティングデバイスプロセッサは、計算された実在する物体の移動距離に基づいて、ターゲットコンピューティングデバイス10cを判定し、間にあるコンピューティングデバイスを迂回することができる。図13は、点線で示したその水平の向き10fとの関連でコンピューティングデバイス10aを示すことによって、傾き角度1302を示す。コンピューティングデバイス10aは、傾き角度を判定し、ユーザによって描かれたジェスチャの速度および方向に基づいて、弾道軌道1304に続く実在する物体の移動距離を計算して、ターゲットコンピューティングデバイス10cを識別するように構成されていてもよい。この態様は、ファイルが、1つまたは複数のコンピューティングデバイス10bを飛び越えて、より遠くのコンピューティングデバイス10cに送られるべきことを示すための直観的メカニズムを提供する。
【００６０】
図14は、ファイルを仮想の壁に当てて、ターゲットコンピューティングデバイスに向かって跳ね返らせるかのようにすることにより、ユーザがファイルの送信を、別のコンピューティングデバイス10bによって遮られている、意図された受信者のコンピューティングデバイス10cに向けることができるようにする、また別の態様のジェスチャを示す。複数のコンピューティングデバイス10b〜10cが、送信側コンピューティングデバイス10aに対して同じ全体的方向に沿って位置する状況において、コンピューティングデバイス10aは、はじくジェスチャが、いつ近くのコンピューティングデバイスから離れる方へ向いたか判定し、はじくジェスチャの方向に沿ったタッチスクリーンディスプレイ308の縁に物体が当たって跳ね返った場合に物体がたどることになるはずの跳ね返り角度を計算するように構成されていてもよい。はじくジェスチャの経路およびディスプレイの縁に当たって跳ね返る経路は、点線902および903で示してある。コンピューティングデバイス10aは、タッチスクリーンディスプレイの側壁のうちの1つに向かうはじくジェスチャを検出し、反射角度1400を決定し、反射経路903の方向に基づいて、ターゲットコンピューティングデバイス10cを識別するように構成されていてもよい。
【００６１】
図15に示したある態様においては、送信側コンピューティングデバイス10aは、送信側コンピューティングデバイスの真正面にあるターゲットコンピューティングデバイス10bを識別するように構成されていてもよい。この態様において、送信側コンピューティングデバイス10aは、コンピューティングデバイス10aに無線でリンクしている、近くのコンピューティングデバイス10b〜10jの相対的な位置を識別する視覚的指標804を含むレーダマップ802を表示することができる。ユーザがコンピューティングデバイス10aを動かして、それをターゲットコンピューティングデバイス10bに向けたとき、コンピューティングデバイス10aは、(例えば、コンパスセンサを介して)その向きの変化を検出し、視覚的指標804の位置を調整して、近くのコンピューティングデバイス10b〜10jの相対的な位置を反映するように構成されていてもよい。コンピューティングデバイス10aは、タッチスクリーン308のローンチパッド304における指306のタッチを検出し、送信側コンピューティングデバイス10aの前に位置するコンピューティングデバイス10bを識別するように構成されていてもよい。例えば、送信側コンピューティングデバイス10aは、コンピューティングデバイス10aが向いている方向を判定し、ターゲットコンピューティングデバイス10bを識別するために、電子コンパスセンサからデータを受け取るように構成されていてもよい。コンピューティングデバイス10aは、ターゲットコンピューティングデバイス10bに向けられたはじくジェスチャを検出し、このジェスチャを解釈して、識別されたコンピューティングデバイス10bへファイルを送信する処理を開始するようにさらに構成されていてもよい。
【００６２】
図16Aおよび16Bに示したまた別の態様においては、送信側コンピューティングデバイス10aは、ユーザが、ドラッグアンドドロップジェスチャによってファイルをターゲットコンピューティングデバイス10bに転送できるように構成されていてもよい。この態様において、送信側コンピューティングデバイス10aは、図16Aに示されるような、レーダマップ802、視覚的指標804およびローンチパッド304を表示するように構成されていてもよい。送信側コンピューティングデバイス10aは、タッチスクリーンディスプレイのローンチパッド304上での、ユーザの指306のタッチを検出するように構成されていてもよい。図16Bに示すように、ユーザは、ローンチパッド304から、意図された受信者のコンピューティングデバイス10cに対応する視覚的指標804までの経路を描くことによって、ドラッグジェスチャを描くことができる。指306が、ターゲットコンピューティングデバイス10cに対応する視覚的指標804をタッチすると、コンピューティングデバイス10aは、タッチの中断(すなわち、ドロップジェスチャ)を検出し、指306のタッチが離れた位置に基づいて、ターゲットコンピューティングデバイス10bを識別し、このジェスチャを解釈して、そのコンピューティングデバイス10cへファイルを送信する処理を開始することができる。レーダマップ表示は、現実でもユーザが見ることのできる近くのコンピューティングデバイスの位置を示すので、この態様は、込み合った部屋において、特定のコンピューティングデバイスにファイルを送信するための、使いやすくかつ直観的なGUIジェスチャを提供する。
【００６３】
また別の態様が図17に示してあり、ここでは、送信側コンピューティングデバイス10aが、デバイスの位置を表示する代わりに、その所有者のプロフィール写真1700を示すことによって他のコンピューティングデバイス10を識別するように構成されている。所有者の写真1700は、コンピューティングデバイス10aのコンタクトデータベース内のコンタクト情報から取得することができるか、またはデバイス発見処理およびリンク確立処理の間に送信側コンピューティングデバイス10aに提供され得る。近くのコンピューティングデバイスがコンタクトデータベース内に含まれず、またその所有者のプロフィール写真を提供しない場合、送信側コンピューティングデバイス10aは、既定の写真1700を使用するように構成されていてもよい。デバイスの表示領域内に合わせるために、コンピューティングデバイス10aは、写真をスクロールし、ユーザが、標準スクロールを使用して写真全体を閲覧したり、またジェスチャに目を通したりできるようにするように構成されていてもよい。次いでユーザは、特定のコンピューティングデバイスを選択して、指306を使用してデバイス所有者の写真にタッチすることによって、ファイルを受け取ることができる。この入力を使用して、送信側コンピューティングデバイス10aは、ターゲットコンピューティングデバイスを判定し、ターゲットコンピューティングデバイスへファイルを送信する処理を開始することができる。
【００６４】
図18に示したある態様においては、送信側コンピューティングデバイス10aは、レーダマップ802を表示し、視覚的指標804を表示することによって、他のコンピューティングデバイス10b〜10gの位置および存在を特定するように構成されていてもよい。視覚的指標には、ドットまたは所有者の写真1700が含まれ得る。写真は、所有者の写真がコンタクトデータベース内に含まれるか、または所有者プロフィール写真を送信側コンピューティングデバイス10aに通信したコンピューティングデバイスの位置上に表示され得る。この態様において、ユーザは、自身がファイルを送信したいコンピューティングデバイスを、写真への経路または宛先デバイスのドットをタッチするまたは描くことによって、識別することができる。例えば、コンピューティングデバイス10aは、ローンチパッド304から開始し、別のコンピューティングデバイス10bを指定する視覚的指標804で終了する、描かれたタッチジェスチャを検出し、このジェスチャを解釈して、コンピューティングデバイス10bへファイルを送信する処理を開始するように構成されていてもよい。
【００６５】
図19〜20に示したある態様においては、送信側コンピューティングデバイス10は、特定のコンピューティングデバイスへのファイルの送信が開始される前に、その送信を確認することをユーザに促すように構成されていてもよい。ターゲットコンピューティングデバイス10が、すでに説明したようにユーザのジェスチャおよび他のコンピューティングデバイス10の位置に基づいて識別されると、送信側コンピューティングデバイス10は、ターゲットコンピューティングデバイス10の識別を確認することをユーザに促す表示を生成することができる。図19に示した例示的な態様において、送信側コンピューティングデバイス10は、ターゲットコンピューティングデバイスの所有者の識別を提示するように構成されていてもよい。所有者の識別は、名前または写真であってもよく、情報は、例えばハンドシェーク処理中に、または送信されるアクセスデータの部分として、送信側コンピューティングデバイスのコンタクトデータベースから、またはターゲットコンピューティングデバイスから取得することができる。例えば、ターゲットコンピューティングデバイス所有者の識別が既知の場合、質問枠2100がディスプレイ310上に提示されて、識別された人にファイルが送信されるべきかどうか示すことをユーザに促すことができる。ユーザは、「はい」を選択して、送信ファイルを確認すること、また「いいえ」を選択して、ターゲットコンピューティングデバイス10を識別する処理を繰り返すことができる。
【００６６】
図20に示した別の態様においては、送信側コンピューティングデバイス10は、識別されたターゲットコンピューティングデバイス10が、スターなどの視覚的指標804で識別されるレーダマップ802を、ファイル送信を確認するようにユーザに要求するプロンプトとともに表示するように構成されていてもよい。確認プロンプトは、示されたコンピューティングデバイスへの、選択されたファイルの送信を確認するようにユーザに促すための質問枠2200を表示することができる。ユーザは、タッチスクリーン308を指306でタッチして、ファイルが送信されるべきことを示すこと、または異なるコンピューティングデバイスが選択できるように送信を妨げることができる。
【００６７】
図21A〜21Bに示した一態様においては、コンピューティングデバイス10は、ユーザが他のコンピューティングデバイスに対してファイル送信を要求することができるファイル要求機能を、ユーザが起動できるようにするように構成されていてもよい。ファイル要求機能は、多様な方法によって起動することができる。図21Aに示した一態様においては、要求側コンピューティングデバイス10は、ファンクションキー402の押下に応答してファイル要求機能を起動するように構成されていてもよい。別法として、ファイル要求機能は、ソフトキー502の押下またはタッチスクリーン308への特定のタッチ(図示せず)に応答して起動され得る。ある態様においては、ファイル要求機能が起動されると、要求側コンピューティングデバイス10は、ユーザが別のコンピューティングデバイス10に通信することを望んでもよい要求のリストを、ユーザに対して表示するように構成されていてもよい。例えば、図21Aに示すように、要求リストは、写真、電話番号、名前、または飲みの誘いの要求を含み得る。他の要求タイプは、ユーザの好みに基づいて作成およびカスタマイズすることができる。図21Bに示すように、要求側コンピューティングデバイス10は、ユーザによる要求タイプの選択を検出し、それに応答して、要求をターゲットコンピューティングデバイス10に送信するように構成されていてもよい。図1〜2Bを参照してすでに説明したように、コンピューティングデバイス10は、近くのコンピューティングデバイスとの間に確立された無線通信リンクを有することができるので、要求は、特定のデバイスに向けて送ることができる。要求側コンピューティングデバイス10は、ユーザが、図9〜18を参照して記載した上記のものと類似したジェスチャ方法を使用して要求を送りたいと考える別のコンピューティングデバイスを、ユーザが指定できるようにするように構成されていてもよい。
【００６８】
図22に示したある態様においては、要求側コンピューティングデバイス10aは、ファイル要求機能が起動されたときにローンチパッド304を表示するように構成されていてもよい。要求側コンピューティングデバイス10aは、タッチスクリーン308上のタッチジェスチャを検出し、ターゲットコンピューティングデバイス10bを、タッチジェスチャの性質に基づいて識別し、ターゲットコンピューティングデバイス10bに対するファイル要求を送信し、要求したファイルを受け取るようにさらに構成されていてもよい。
【００６９】
ターゲットコンピューティングデバイス10bを識別するために、要求側コンピューティングデバイス10aは、ローンチパッド304内で開始し、ターゲットコンピューティングデバイス10bから離れていく(すなわち、ターゲットコンピューティングデバイス10bの位置から離れる方向に沿った)はじくジェスチャを検出するように構成されていてもよい。点線および矢印902は、コンピューティングデバイス10bに対してファイルを要求する指306の動きの方向を示す。点線および矢印902は、指306の動きの方向を識別するために示してあり、ディスプレイ310の一部でなくてもよい。代替の態様において、点線および矢印902が、はじくジェスチャがコンピューティングデバイス10によって適切に解釈されたことをユーザが確認できるようにするための視覚的手掛かりとして、ディスプレイ上に提示され得る。そのようなファイル要求のはじくジェスチャを検出するコンピューティングデバイス10aは、ファイル要求メッセージを構成し、ターゲットコンピューティングデバイス10bへ送信することができる。種々の態様のファイル要求メッセージは、受取り側コンピューティングデバイスが、要求側コンピューティングデバイス10aにファイルを送信するために必要な情報を有するように、アクセスデータを含み得る。ファイル要求の受取りに応答して、ターゲットコンピューティングデバイス10bは、通信されたアクセスデータおよび本明細書に記載の送信方法を使用して、要求側コンピューティングデバイス10aにファイル2400を送信することができる。要求側コンピューティングデバイス10aは、ファイルを受け取り、表示することができる。このように、ファイル要求のはじくジェスチャは、直観的に動作し、通常はファイルのダウンロードを開始することに関わる複雑な動作を行うことなく、ユーザがファイルをダウンロードできるようにする。
【００７０】
図23に示したある態様においては、要求側コンピューティングデバイス10aは、要求側コンピューティングデバイス10aが向いている方向に基づいて、ターゲットコンピューティングデバイス10を識別するように構成されていてもよい。例えば、要求側コンピューティングデバイス10aは、ユーザが、デバイスをターゲットコンピューティングデバイス10bに向け、ローンチパッド304の外部からローンチパッド304の内部へ、自分に向けたはじくジェスチャを描いて、ターゲットコンピューティングデバイス10bへのファイル要求メッセージの送信を開始できるようにする。
【００７１】
図24に示したある態様においては、ファイル要求機能が起動すると、要求側コンピューティングデバイス10aは、ユーザがターゲットコンピューティングデバイス10bに送ることができる要求のリストを含むメニュー枠2600を表示することができる。図23を参照してすでに説明したように、要求側コンピューティングデバイス10aは、デバイスが向いている方向に基づいて、ターゲットコンピューティングデバイス10bを識別するように構成されていてもよい。要求側コンピューティングデバイス10aは、ユーザが、メニュー枠2600から要求を選択し、ドラッグし、ローンチパッド304上にドロップすることによって、選択された要求の種類をターゲットコンピューティングデバイス10bに送ることができるようにさらに構成されていてもよい。要求側コンピューティングデバイス10aは、デバイス発見処理の間に確立された無線通信リンクを使用して、選択された要求をターゲットコンピューティングデバイス10bに送り、また送信されるファイルを受信および表示することができる。例えば、ユーザが、ターゲットコンピューティングデバイス10bに対して電話番号を要求したいと考えているとき、ユーザは、要求機能を起動し、自身のコンピューティングデバイス10aをターゲットコンピューティングデバイス10bに向け、電話番号要求メッセージである種類を、タッチスクリーン308上で自身の指306を使用して、メニュー枠2600からローンチパッド304内にドラッグアンドドロップすることができる。このジェスチャに応答して、ユーザコンピューティングデバイス10aは、要求をターゲットコンピューティングデバイス10bに送って、電話番号を受け取ることができる。応答が受け取られたとき、要求側コンピューティングデバイスは、応答を表示することができる。
【００７２】
図25に示したある態様においては、要求側コンピューティングデバイス10aは、近くのコンピューティングデバイス10b〜10dとの間に無線通信リンクを確立し、その所有者のプロフィール写真を用いて各コンピューティングデバイス10b〜10dを識別する表示を提示して、ファイル転送を要求するデバイスをユーザが選択できるようにするように構成されていてもよい。すでに説明したように、プロフィール写真2700は、コンタクトデータベースから取得すること、または無線通信リンクが確立されたときに、他のコンピューティングデバイス10b〜10dから受け取ることができる。ファイル転送要求メッセージのターゲットコンピューティングデバイス10を識別するために、要求側コンピューティングデバイス10aのユーザは、ターゲットコンピューティングデバイス10bのプロフィール写真2700をタッチすることができる。それに応答して、要求側コンピューティングデバイス10aは、要求メッセージをフォーマットし、確立された無線通信リンクを介して、ターゲットコンピューティングデバイス10bに送信することができる。
【００７３】
図26に示したある態様においては、要求側コンピューティングデバイス10aは、ファイル要求メッセージが送信されるべきコンピューティングデバイス10b〜10gをユーザが識別できるようにするために、ドットなどの視覚的指標804およびプロフィール写真を含むレーダマップ802を表示するように構成されていてもよい。要求側コンピューティングデバイス10aのユーザは、ターゲットコンピューティングデバイス10bに関連付けられた視覚的指標を選択し、ローンチパッド304内にドラッグアンドドロップすることによって、要求メッセージのターゲットコンピューティングデバイス10bを特定することができる。ターゲットコンピューティングデバイス10bが選択されると、ファイル共有の要求をそこに送ることができる。
【００７４】
図27に示したある態様においては、要求側コンピューティングデバイス10aは、ファイルの共有を識別し、はじくジェスチャの方向に基づいてターゲットコンピューティングデバイス10bに要求するように構成されていてもよい。この態様において、はじくジェスチャのタッチ経路は、ローンチパッド304の外側のタッチスクリーン308上の位置から開始し、ローンチパッド304内で終了することができる。点線および矢印902は、指306が、この態様においてターゲットコンピューティングデバイス10bにファイル転送を要求するためのはじくジェスチャを描くことができる方向を示す。
【００７５】
図28に示したある態様においては、要求側コンピューティングデバイス10aは、閉じる手のジェスチャを認識することによって、多くの異なるターゲットコンピューティングデバイス10b〜10dに対するファイル共有を識別し、それを同時に要求するように構成されていてもよい。この態様において、ユーザは、片方の手のすべての指をタッチスクリーン308上の外側境界の近くに置き、指をローンチパッド304に向けて動かすことができる。要求側コンピューティングデバイス10aは、そのような閉じる手のジェスチャを認識し、それに応答して、すべてのリンクしたコンピューティングデバイス10b〜10dにファイル共有要求を送信するように構成されていてもよい。そのようなファイル共有要求を受け取ると、他のコンピューティングデバイス10b〜10dは、ファイル共有要求に含まれるアクセスデータに従って、要求側コンピューティングデバイス10aにファイルを送信することができる。
【００７６】
要求側コンピューティングデバイス10は、ファイル転送要求メッセージが送信される前に、ターゲットコンピューティングデバイス10の識別をユーザが確認できるようにするためのプロンプトを表示するように構成されていてもよい。図29に示したある態様においては、要求側コンピューティングデバイス10aは、レーダマップ802表示上のターゲットコンピューティングデバイス10を、スターなどの視覚的指標804を使用して識別し、デバイス選択を確定または拒絶するようにユーザに要求する決定枠3200を表示するように構成されていてもよい。図示の例において、ユーザが、「要求する」ソフトキーを押すことによって動作を確認できるようにするために、または異なるターゲットコンピューティングデバイスを選択するなどのために、「要求しない」ソフトキーを押すことによって要求をやめることができるようにするために、2つの決定ソフトキー3200が表示されている。
【００７７】
図30に示したある態様においては、ユーザのコンタクトデータベースからデバイスを調べるなどすることによって、ターゲットコンピューティングデバイス10の所有者の識別が確認できたとき、要求側コンピューティングデバイス10aは、ユーザが、その識別データを使用して要求の送信を確認できるようにする。ターゲットコンピューティングデバイス10の所有者の識別は、所有者の名前、写真、電話番号またはEメールアドレスとして表示され得る。例えば、コンタクトデータベース内にある、またはターゲットコンピューティングデバイスによって送信されるなどして、ターゲットコンピューティングデバイスの所有者の写真および名前が利用可能である場合、要求側コンピューティングデバイス10aは、ターゲットコンピューティングデバイス10の所有者のプロフィール写真および名前を含む確認プロンプト枠3300を、ターゲットコンピューティングデバイス10への要求の送信をユーザが確認するためのプロンプトとともに表示することができる。例えば、ユーザは、「はい」または「いいえ」のソフトキーを押して、要求メッセージの送信を確認することができる。
【００７８】
図31は、種々の態様での使用に適したコンピューティングデバイス10のハードウェアおよびソフトウェアコンポーネント3400を示す。コンピューティングデバイス10は、種々の態様のファイル共有機能を実現するために、アプリケーション3408を用いてプログラムすることができる。アプリケーション3408は、アプリケーションプログラミングインターフェイス(API)3406によって、オペレーティングシステム(OS)3404と通信することができる。API 3406は、アプリケーションプログラムが、ライブラリおよび/またはOS 3404からのサービスを要求することができる方法を定義するインターフェイスである。別法として、ファイル共有機能は、一連の新しいAPIに実装されていてもよい。ファイル共有機能アプリケーション3408は、デバイスディスプレイ310、タッチスクリーン308、および物理キー402によって、ユーザと通信することができる。例えば、ユーザは、キー402を押すか、またはタッチスクリーン308をタッチして、ファイル共有機能を起動することができる。ユーザはまた、タッチスクリーン308を使用して、はじくジェスチャを描き、ファイル共有通信を開始することができる。キー402および/またはタッチスクリーン308を押すことによって受け取った情報は、ドライバ3402を介して、オペレーティングシステム3404に通信され得る。ドライバ3402は、キー402およびタッチスクリーン308とOS 3402との間のトランスレータのように働く。ドライバ3402を介して受け取った情報は、API 3406を介してアプリケーション3408に通信されてもよい。アプリケーション3408は、ディスプレイ310上で、情報をユーザに提供することができる。ユーザに対して表示され得る情報には、ファイル共有機能を起動するための命令、ファイル共有機能の使用を容易にするための視覚的指標、他のコンピューティングデバイス10の位置および識別、ならびに確認の質問が含まれ得る。
【００７９】
上記のファイル共有機能ならびに手のジェスチャおよびはじくジェスチャは、図32〜46を参照して以下に記載する方法を使用して実施することができる。図32〜34は、ファイル共有機能を起動するための手のジェスチャおよびはじくジェスチャを実施する、さまざまな方法を示す。
【００８０】
図32は、タッチを使用してファイル共有機能を起動するための、態様の方法3500の処理の流れを示す。方法3500のブロック3502において、コンピューティングデバイス10は、タッチスクリーン308上でタッチを検出し、ブロック3504において、タッチイベントの位置を判定するように構成されていてもよい。判定ブロック3506において、コンピューティングデバイスは、タッチイベントが、ローンチパッド304内などの指定された領域内であるかどうか判定することができる。タッチイベントが指定された位置の中で検出された場合(すなわち、判定ブロック3506=「はい」)、コンピューティングデバイス10は、ブロック3510において、ファイル共有機能を起動することができる。タッチイベントが、指定された位置の中で検出されなかった場合(すなわち、判定ブロック3506=「いいえ」)、コンピューティングデバイス10は、ブロック3508において、パニングなどの通常のグラフィカルユーザインターフェイス(GUI)処理を実行することができる。
【００８１】
図33は、ファンクションキー402またはソフトキー502の押下に応答してファイル共有機能を起動するための、態様の方法3600の処理の流れを示す。方法3600のブロック3604において、コンピューティングデバイス10は、ファイル共有機能を起動するためのキー402押下イベントを検出するように構成されていてもよい。任意選択で、ファイル共有機能を起動するためにソフトキーを使用する場合、コンピューティングデバイス10は、ブロック3602において、ソフトキー502を表示するように構成されていてもよい。ソフトキー502押下イベントは、ブロック3602において、ファイル共有機能を起動するために検出することもできる。ブロック3608において、コンピューティングデバイスは、ファイル共有機能を起動することができる。
【００８２】
図34は、タッチスクリーン308上に描かれた事前に判定済みのジェスチャを使用してファイル共有機能を起動するための、態様の方法3700の処理流れ図を示す。コンピューティングデバイス10は、ブロック3702において、タッチ経路イベントを検出し、ブロック3704において、タッチ経路イベントの描かれた経路を分析して、判定ブロック3705において、タッチ経路イベントが所定のジェスチャと一致するかどうか判定するように構成されていてもよい。例えば、楕円ジェスチャが、ファイル共有機能を起動するために指定され得る。ユーザによって描かれたジェスチャが、ファイル共有機能と相関した所定のジェスチャと一致している場合(すなわち判定ブロック3705=「はい」)、コンピューティングデバイス10は、ブロック3706において、ファイル共有機能を起動することができる。ユーザによって描かれたジェスチャが、所定のジェスチャと一致していない場合(すなわち判定ブロック3705=「いいえ」)、コンピューティングデバイス10は、ブロック3708において、通常のGUI処理を実行することができる。
【００８３】
図35は、近くのコンピューティングデバイスを発見し、発見されたデバイスとの間で無線通信リンクを確立するための、態様の方法3800の処理の流れを示す。ファイル共有機能が起動することで、ブロック3804において、コンピューティングデバイスプロセッサに、(すでに起動されていない場合)無線送受信機を起動させ、ブロック3806において、起動した送受信機の無線通信プロトコル(例えば、Bluetooth(登録商標))によって規定されるように、近くのコンピューティングデバイスとの間で、デバイス発見信号の送信および応答信号の受信を開始させることができる。すでに検討したように、このデバイス発見信号および応答信号のやりとりによって、近くのコンピューティングデバイス10は、互いの存在を発見し、無線通信リンクを確立することができるようになる。通信リンク確立の一部として、コンピューティングデバイスは、ブロック3808において、アクセスデータおよび位置データをやりとりすることができる。このデバイスデータのやりとりには、識別データおよび写真が含まれ得る。例えば、コンピューティングデバイス10は、ブロック3808において、近くのコンピューティングデバイスの所有者のプロフィール写真などの識別データを受け取ることができる。アクセスデータには、Bluetooth(登録商標)識別データ、電話番号、およびEメールアドレスなどの、ターゲットコンピューティングデバイス10と通信するためにコンピューティングデバイスによって使用され得る情報が含まれ得る。別法として、アクセスデータの送信は、ファイル転送動作をユーザが許可することに応じて行ってもよく、したがって、コンピューティングデバイスが、送信側コンピューティングデバイスからファイルを受け取ることを許可される前は、アクセスデータの送信は起こらなくてもよい。送信側ターゲットコンピューティングデバイス間でアクセス許可を要求および付与する処理は、図42〜43を参照して、以下でより詳細に説明する。コンピューティングデバイスは、ブロック3810において、受け取ったデータを格納し、受け取ったデータを使用して、近くのコンピューティングデバイス10の存在を判定することができる。
【００８４】
任意選択で、ブロック3802において、コンピューティングデバイス10は、近くにある既知のコンピューティングデバイスのみを探すユーザ命令を受け取ってもよい。例えば、コンピューティングデバイス10は、デバイスのコンタクトデータベース内にあるものと一致するデバイスデータを有するデバイスのみを探すように命令されてもよい。この態様において、近くのデバイスが発見されると、コンピューティングデバイス10は、ブロック3812において、近くのデバイスの識別をコンタクトデータベースと突き合わせて、判定ブロック3814において、近くのコンピューティングデバイスが既知のものであるかどうか判定することができる。検出された近くのコンピューティングデバイスが、既知のものでない場合(すなわち、判定ブロック3814=「いいえ」)、コンピューティングデバイス10は、ブロック3816において、そのデバイスを無視してもよい。検出された近くのコンピューティングデバイスが、既知のものである場合(すなわち、判定ブロック3814=「はい」)、コンピューティングデバイス10は、図1のブロック108において、近くのデバイスの位置を判定することができる。
【００８５】
コンピューティングデバイス10の位置は、種々の方法を用いて判定することができる。例えば、近くのコンピューティングデバイスから受信機が受け取った全地球測位システム(GPS)座標データが、デバイス自体の位置に対する近くのコンピューティングデバイスの位置を判定するために使用できる。別法として、またはそれに加えて、信号三角測量の方法が、近くのコンピューティングデバイス10の相対的な位置の判定に使用できる。
【００８６】
図36は、GPS座標を使用して位置を判定するための、態様の方法3900の処理の流れを示す。方法3900のブロック3902において、コンピューティングデバイス10は、近くのコンピューティングデバイス10に対して位置データの要求を送り、ブロック3904において、GPSナビゲーション受信機を備えた近くのコンピューティングデバイス10から、GPS座標を受け取ることができる。要求側コンピューティングデバイス10は、ブロック3906において、受け取ったGPSデータおよびデバイス自体がもつGPS受信機から取得した位置情報に基づいて、近くのデバイスの相対的な位置を判定することができる。ブロック3908において、コンピューティングデバイスは、デバイスが、ファイル共有のためのユーザコマンドを受け取る準備ができていることをユーザに示すために、ローンチパッド304の画像を表示することができる。コンピューティングデバイス10は、次いで、図1のブロック112において、ファイル共有ジェスチャを検出することができる。
【００８７】
任意選択で、コンピューティングデバイス10は、近くのコンピューティングデバイス10の相対的な位置を示すために、さまざまなGUI表示を用いることができる。例えば、コンピューティングデバイス10は、ブロック3910において、本コンピューティングデバイス10の位置に対する、すべての近くのコンピューティングデバイス10の位置を示す視覚的指標を含むレーダマップ802を表示することができる。別法として、コンピューティングデバイス10は、ブロック3912において、近くのコンピューティングデバイス10の所有者の写真を含むピクチャマップを表示することができる。コンピューティングデバイス10は、次いで、図1のブロック112において、ファイル共有ジェスチャを検出することができる。
【００８８】
図37は、三角測量を使用して近くのコンピューティングデバイス10の相対的な位置を判定するための、態様の方法4000の処理流れ図を示す。コンピューティングデバイス10は、三角測量を使用した近くのデバイスの位置判定を可能にするために、2本のアンテナおよびコンパスを含み得る。コンピューティングデバイス10は、ブロック4002において、第1および第2のアンテナで信号を受信し、ブロック4004において、2本のアンテナで受信した信号のタイミングまたは信号強度どうしを比較することができる。コンピューティングデバイス10は、ブロック4006において、コンパスセンサからもデータを受信し、ブロック4008において、差動タイミングおよび/または信号強度ならびにコンパスデータに基づいて、近くのデバイスの相対的な位置を判定することができる。相対的な位置を判定するために使用できる三角測量分析が、よく知られている。近くのコンピューティングデバイス10の位置が判定されると、ブロック4010において、コンピューティングデバイス10は、ユーザがファイル共有ジェスチャを描けるようにするために、ローンチパッド304を表示することができる。コンピューティングデバイス10は、次いで、図1のブロック112において、ファイル共有ジェスチャを検出することができる。任意選択で、ブロック4011において、コンピューティングデバイス10は、コンピューティングデバイス10に対する、近くのコンピューティングデバイスの相対的な位置を示すための視覚的指標を含む、レーダマップ802表示を表示することができる。
【００８９】
ファイルジェスチャ機能が起動され、近くのコンピューティングデバイスが発見されると、コンピューティングデバイス10に、近くのコンピューティングデバイス10との間でファイルを共有するように指令を出すために、さまざまなジェスチャが使用され得る。これらのジェスチャは、ユーザがコンピューティングデバイス10を動かすことを必要とするもの、およびユーザがコンピューティングデバイス10のタッチスクリーン308上で指306を使用して、ある形を描くことを必要とするものを含み得る。
【００９０】
図38は、ファイル共有処理を開始するためにはじくジェスチャを認識し、解釈するための、態様の方法4300の処理の流れを示す。方法4300のブロック4302において、コンピューティングデバイス10は、タッチイベントを検出し、判定ブロック4304において、タッチが、ローンチパッド304内であるかどうか判定することができる。タッチイベントが、ローンチパッド304の中でない場合(すなわち、判定ブロック4304=「いいえ」)、コンピューティングデバイス10は、ブロック4336において、他のGUI処理を実行することができる。タッチが、ローンチパッド304の中である場合(すなわち、判定ブロック4304=「はい」)、コンピューティングデバイス10は、ブロック4306において、次のタッチイベント入力の検出を待ち、判定ブロック4308において、タッチが、ローンチパッド304領域から出たかどうか判定することができる。タッチ経路イベントが、ローンチパッド304の領域から出ていない場合(すなわち、判定ブロック4308=「いいえ」)、コンピューティングデバイス10は、ブロック4302に戻って、タッチイベントを検出することができる。
【００９１】
タッチ経路イベントが、ローンチパッド304領域から出た場合(すなわち、判定ブロック4308=「はい」)、コンピューティングデバイス10は、判定ブロック4310において、タッチイベントが終了したかどうか判定することができる。タッチイベントが終了していない場合(すなわち、判定ブロック4310=「いいえ」)、コンピューティングデバイスは、ブロック4306に戻って、次のタッチイベント入力を待つことができる。タッチが終了している場合(すなわち、判定ブロック4310=「はい」)、コンピューティングデバイス10は、ブロック4312において、タッチ経路イベントの終了位置を判定し、ブロック4314において、タッチ経路イベントの方向および速度を判定し、ブロック4316において、加速度計センサデータに基づいて、コンピューティングデバイスの傾き角度を計算することができる。ブロック4318において、コンピューティングデバイス処理は、はじくジェスチャの方向および速度、ならびに測定されたデバイスの傾き角度を使用して弾道軌道を計算すること、またその結果を使用して、近くにある特定の相対的なコンピューティングデバイスにジェスチャを相関させることができる。傾き角度を計算するために、コンピューティングデバイス10は、重力傾度を検知し、簡単な幾何学的計算に使用するために、その測定値をプロセッサに提供することができる加速度計のセットを備えていてもよい。判定ブロック4320において、コンピューティングデバイス10は、タッチ経路イベントが曲線の形を描いたかどうか判定することができる。描かれたタッチ経路イベントが、曲線であると判定された場合(すなわち、判定ブロック4320=「はい」)、コンピューティングデバイスは、ブロック4322において、測定された経路曲率、方向、速度、およびデバイスの傾き角度に基づいて、意図された受信者のコンピューティングデバイスを識別し、ブロック4332において、他のコンピューティングデバイス10の相対的な位置を特定することができる。ターゲットデバイスが識別されると、コンピューティングデバイス10は、図1のブロック118における、ターゲットコンピューティングデバイスにファイルを送信する処理を開始することができる。任意選択で、ファイルが送信される前に、ブロック4334において、コンピューティン
グデバイス10は、正しいデバイスがターゲットコンピューティングデバイスとして識別されていることを、ユーザに確認するように要求するプロンプトを、ブロック4334において表示することができる。
【００９２】
描かれたタッチ経路イベントが曲線でない場合(すなわち、判定ブロック4320=「いいえ」)、コンピューティングデバイス10は、判定ブロック4324において、タッチ経路イベントが、空スペースに向けられているかどうか判定することができる。この判定は、送信側コンピューティングデバイス10によって判定された、近くのコンピューティングデバイス10の相対的な位置に基づくことができる。描かれたタッチ経路イベントが、空スペースに向けられていない場合(すなわち、判定ブロック4324=「いいえ」)、コンピューティングデバイス10は、ブロック4332において、タッチ経路イベントの方向および速度ならびにコンピューティングデバイス10の傾き角度に基づいて、ターゲットデバイスを識別することができる。ターゲットデバイスが識別されると、コンピューティングデバイス10は、図1のブロック118において、ターゲットデバイスにファイルを送信することができる。任意選択で、ブロック4334において、コンピューティングデバイス10は、ファイルが送信される前に、ブロック4334において、ターゲットコンピューティングデバイスとして正しいデバイスが識別されていることをユーザに確認するように要求するプロンプトを表示することができる。
【００９３】
描かれたタッチ経路イベントが、空スペースに向けられている場合(すなわち、判定ブロック4324=「はい」)、コンピューティングデバイス10は、判定ブロック4326において、跳ね返り機能が有効になっているかどうか判定することができる。跳ね返り機能が有効になっていない場合(すなわち、判定ブロック4326=「いいえ」)、コンピューティングデバイス10は、ブロック4328において、ユーザに再度ジェスチャを描かせることができる。跳ね返り機能が有効になっている場合(すなわち、判定ブロック4326=「はい」)、コンピューティングデバイスは、ブロック4330において、描かれた経路の方向に基づいて跳ね返りの角度を計算し、ブロック4332において、ターゲットコンピューティングデバイスを識別することができる。ターゲットコンピューティングデバイスが識別されると、コンピューティングデバイス10は、図1のブロック118における、ターゲットデバイスにファイルを送信する処理を開始することができる。任意選択で、ブロック4334において、コンピューティングデバイス10は、ファイルが送信される前に、ブロック4334において、ターゲットコンピューティングデバイスとして正しいデバイスが識別されていることをユーザに確認するように要求するプロンプトを表示することができる。
【００９４】
図39は、ドラッグアンドドロップジェスチャを実施して、ファイルが送信され得る近くのコンピューティングデバイス10を識別するための、態様の方法4400の処理の流れを示す。方法4400のブロック4302において、コンピューティングデバイス10は、タッチイベントを検出し、判定ブロック4304において、タッチがローンチパッド304内であるかどうか判定することができる。タッチイベントが、ローンチパッド304の中でない場合(すなわち、判定ブロック4304=「いいえ」)、コンピューティングデバイス10は、ブロック4336において、他のGUI処理を実行することができる。タッチが、ローンチパッド304の中の場合(すなわち、判定ブロック4304=「はい」)、コンピューティングデバイス10は、ブロック4306において、次のタッチイベント入力の検出を待ち、判定ブロック4308において、タッチイベントが、ローンチパッド304領域から出たかどうか判定することができる。タッチ経路イベントが、ローンチパッド304の領域から出ていない場合(すなわち、判定ブロック4308=「いいえ」)、コンピューティングデバイス10は、ブロック4302に戻って、タッチイベントを検出することができる。
【００９５】
タッチ経路イベントが、ローンチパッド304領域から出た場合(すなわち、判定ブロック4308=「はい」)、コンピューティングデバイス10は、判定ブロック4310において、タッチイベントが終了したかどうか判定することができる。タッチイベントが終了していない場合(すなわち、判定ブロック4310=「いいえ」)、コンピューティングデバイスは、ブロック4306に戻って、次のタッチイベント入力を待つことができる。タッチイベントが終了している場合(すなわち、判定ブロック4310=「はい」)、コンピューティングデバイス10は、ブロック4312において、タッチ経路イベントの終了位置を判定し、ブロック4402において、タッチ経路データを記憶し、ブロック4044において、タッチ終了位置に基づいてターゲットデバイスを識別することができる。ターゲットデバイスが識別されると、コンピューティングデバイス10は、図1のブロック118における、ターゲットデバイスにファイルを送信する処理を開始することができる。
【００９６】
図40は、描かれた経路が、図38のブロック4320に含まれる曲線の形であるかどうか判定するための、態様の方法4500の処理流れ図を示す。ブロック4502において、コンピューティングデバイスプロセッサは、メモリに格納された経路データにアクセスすることができ、ブロック4504において、既知の方法によってデータを処理して、短い経路セグメント間を補間し、経路を「なめらかにする」ことができる。短いセグメントがなめらかにされると、プロセッサは、判定ブロック4506において、なめらかにされた経路のデータが、最低5つの点などの、少なくとも最小限の点を含む一連のタッチ位置Qを有するかどうか判定することができる。代替の態様において、最小限のストローク点アレイQは、3、10、またはそれ以上の点であってもよい。一連のタッチ位置Qが、最小限のタッチ点を含まない場合(すなわち、判定ブロック4506=「いいえ」)、経路データ処理は、図38のブロック4324において、通常のGUI処理を用いるなどして、経路が楕円タイプでないか、または不明瞭な形であるかのように継続することができる。しかし、一連のタッチ位置Qが、最小限の点を含む場合(すなわち、判定ブロック4506=「はい」)、プロセッサは、ブロック4508において、メモリに格納された経路データを使用して、描かれた経路の曲がり角度(turn angle)および曲がり角度の導関数を計算することができる。既知の方法を使用することによって、プロセッサは、次いで判定ブロック4510において、経路データが、曲線のタッチ経路イベントを表しているかどうか判定することができる。経路データが、曲線のタッチ経路イベントを表していない場合(すなわち、判定ブロック4510=「いいえ」)、経路データは、曲線形を構成していないと想定され、はじくジェスチャの処理は、図38のブロック4324において、継続され得る。経路データが、曲線形を表すと判定された場合(すなわち、判定ブロック4510=「はい」)、図38を参照しながらすでに説明したように、処理は、ブロック4322において、間にあるコンピューティングデバイスを継続して識別する。
【００９７】
任意選択で、送信側コンピューティングデバイス10は、ファイルを送信する処理を開始する前に、ユーザに、ターゲットコンピューティングデバイス10の識別を確認するように促すように構成されていてもよい。図41は、ファイルを送信する前に、デバイスユーザに、ターゲットコンピューティングデバイス10の識別を確認するように促すための、態様の方法4700の処理の流れを示す。コンピューティングデバイス10は、ブロック4702において、ターゲットコンピューティングデバイスに関する識別情報を表示し、ブロック4704において、確認プロンプトを表示するように構成されていてもよい。識別情報には、レーダマップ802におけるターゲットコンピューティングデバイスの位置、ターゲットコンピューティングデバイスの所有者の写真プロフィール、およびターゲットコンピューティングデバイスのセルラー電話番号が含まれ得る。例えば、ターゲットコンピューティングデバイスが識別されると、コンピューティングデバイスは、レーダマップ802上のその識別されたデバイスの位置を提供することができる。近くのコンピューティングデバイスの位置は、送信側コンピューティングデバイス10に対して相対的に表示されるので、ユーザは、ターゲットコンピューティングデバイスの識別を、表示されたレーダマップ802上のその位置を、近くにある他のデバイスユーザの位置と比較することによって、確認することができる。コンピューティングデバイス10は、判定ブロック4706において、ファイル送信がユーザによって確認されたかどうか、適切なユーザ入力に基づいて判定することができる。ファイル送信がユーザによって確認された場合(すなわち、判定ブロック4706=「はい」)、コンピューティングデバイス10は、図1のブロック118において、ターゲットコンピューティングデバイスにファイルを送信する処理を開始することができる。ファイル送信がユーザによって確認されていない場合(すなわち、判定ブロック4706=「いいえ」)、コンピューティングデバイス10は、ブロック4708において、選択されたファイル表示に戻ることができる。
【００９８】
図42は、ターゲットコンピューティングデバイス10に許可アクセスデータを要求するための、任意選択の態様方法4800の処理の流れを示す。方法4800のブロック4802において、送信側コンピューティングデバイス10は、ファイルを送信する前に、ターゲットコンピューティングデバイスにファイル送信問い合わせを送ることができる。コンピューティングデバイスは、ブロック4803において、許可応答をターゲットコンピューティングデバイスから受け取り、判定ブロック4804において、許可が付与されたかどうか判定することができる。応答において許可が認められなかった場合(すなわち、判定ブロック4804=「いいえ」)、コンピューティングデバイス10は、ブロック4708において、選択されたファイル表示に戻ることができる。応答において許可が認められた場合(すなわち、判定ブロック4804=「はい」)、コンピューティングデバイス10は、ブロック4806において、アクセスデータを、アドレスまたは許可番号などの応答の一部として受け取ることができる。ブロック4808において、コンピューティングデバイスは、受信したアクセスデータ使用して、ターゲットコンピューティングデバイスに、選択されたファイルを送信することができる。すでに検討したように、選択されたファイルを送信するために使用される方法は、ターゲットコンピューティングデバイスから受信したアクセスデータに依存し得る。例えば、アクセスデータが電話番号を含む場合、送信側コンピューティングデバイス10は、選択されたファイルをSMSまたはMMSメッセージとして送信することができる。任意選択で、選択されたファイルが送信されると、送信側コンピューティングデバイスは、ブロック4810において、ホーム画面に戻ってもよい。
【００９９】
図43は、アクセスデータを許可し、送信側コンピューティングデバイス10に送るための、任意選択の態様の方法4900の処理の流れを示す。方法4900のブロック4902において、ターゲットコンピューティングデバイスは、送信側コンピューティングデバイス10から、ターゲットコンピューティングデバイスにファイルを送信する許可を要求するメッセージを受け取ることができる。ブロック4904において、ターゲットコンピューティングデバイス10は、ユーザにこの要求を許可または拒否することを促す表示を生成することができる。ターゲットコンピューティングデバイス10は、GUIでの選択によってユーザ入力を受け取り、判定ブロック4906において、ユーザがファイル送信を受け入れることを許可したかどうか判定することができる。許可がユーザによって否定された場合(すなわち、判定ブロック4906=「いいえ」)、ターゲットコンピューティングデバイス10は、ブロック4908において、拒絶メッセージを送信側コンピューティングデバイス10に送ることができる。許可が認められた場合(すなわち、判定ブロック4906=「はい」)、ターゲットコンピューティングデバイス10は、ブロック4910において、許可応答を適切なアクセスデータとともに送ることができる。ターゲットコンピューティングデバイス10は、ブロック4912において、送信側コンピューティングデバイスからファイルを受け取ることができる。ある態様においては、ユーザに提示された許可プロンプトはさらに、ファイルが送信されるべき方法について選択権をユーザに提供することができる。例えば、メニュープロンプトは、ユーザが、ファイルの受取りを、SMSまたはMMSメッセージとして、Eメールメッセージの添付として、または確立された無線通信リンクを介した直接ファイル転送として、の中から選べるようにすることができる。ターゲットコンピューティングデバイスは、ユーザの選択を受け取ることができ、また、適切なアドレスを、応答メッセージとともに送信するアクセスデータ内に含めてもよい。次いで、送信側コンピューティングデバイスは、ターゲットユーザによって選択された送信方法を使用し、アクセスデータを使用してファイルを送信する。
【０１００】
図44は、ファイルをターゲットコンピューティングデバイス10に要求するための、態様の方法5000の処理の流れを示す。方法5000のブロック102において、コンピューティングデバイス10は、ファイル共有機能を起動することができる。ファイル共有機能の起動により、コンピューティングデバイス10は、ブロック106において、近くのデバイスを発見し、ブロック108において、受け取った応答に基づいて近くのコンピューティングデバイスの位置を判定することができる。任意選択で、近くのデバイスの位置が判定されると、コンピューティングデバイス10は、ブロック110において、発見された近くのコンピューティングデバイスの相対的な位置を示すレーダマップ802を表示することができる。ブロック112において、コンピューティングデバイス10は、図1を参照しながらすでに説明したように、タッチスクリーン308上に描かれたファイル共有ジェスチャ(例えば、自分に向けたはじくジェスチャ)を検出することができる。ブロック114において、コンピューティングデバイスは、検出されたファイル共有ジェスチャおよび近くのコンピューティングデバイスの位置のパラメータに基づいて、ファイル要求のターゲットである近くのコンピューティングデバイスを識別することができる。要求側コンピューティングデバイスは、ブロック5008において、ファイルを要求するメッセージをターゲットコンピューティングデバイスに送ることができ、またブロック5010において、ターゲットコンピューティングデバイス10からファイルを受け取ることができる。図1のブロック116において、任意選択で、コンピューティングデバイスは、ファイルを受け取るための許可をターゲットデバイスに要求し、ファイルをそこから受け取るように構成されていてもよい。
【０１０１】
図45は、コンピューティングデバイスが、要求ファイル共有機能を起動させたときに、ファイルを要求するファイル共有ジェスチャを検出および識別するための、態様の方法5100の処理の流れを示す。方法5100のブロック4302において、コンピューティングデバイス10は、タッチイベントを検出し、判定ブロック4304において、タッチがローンチパッド304内であるかどうか判定することができる。タッチイベントがローンチパッド304内である場合(すなわち、判定ブロック4304=「はい」)、コンピューティングデバイス10は、ブロック4336において、他のGUI処理を実行することができる。この論理は、ファイル共有機能に関連する図38を参照しながらすでに説明した方法において提示した論理とは反対であることに留意されたい。タッチがローンチパッド304内でない場合(すなわち、判定ブロック4304=「いいえ」)、コンピューティングデバイス10は、ブロック4306において、次のタッチイベント入力を検出するのを待ち、判定ブロック4310で、タッチが終了したかどうか判定することができる。タッチが終了していない場合(すなわち、判定ブロック4310=「いいえ」)、コンピューティングデバイス10は、ブロック4306に戻って、次のタッチイベント入力を待つことができる。タッチが終了している場合(すなわち、判定ブロック4310=「はい」)、コンピューティングデバイス10は、ブロック4312において、タッチ経路イベント終了位置を判定し、判定ブロック5102において、タッチがローンチパッド304内で終了したかどうか判定することができる。タッチが、ローンチパッド304内で終了していない場合(すなわち、判定ブロック5102=「いいえ」)、コンピューティングデバイス10は、ブロック4336において、他のGUI処理を実行することができる。
【０１０２】
タッチイベントが、ローンチパッド304内で終了した場合(すなわち、判定ブロック5102=「はい」)、コンピューティングデバイス10は、ブロック5104において、タッチ経路データを格納することができる。コンピューティングデバイス10は、ブロック5314において、タッチ経路方向および速度を判定し、ブロック5316において、デバイス傾き角度を計算し、ブロック5106において、タッチ経路の長さを、その方向、速度、および傾き角度の値に基づいて計算することができる。コンピューティングデバイス10は、判定ブロック4320において、タッチ経路イベントが、曲線の形をしたジェスチャを描いたかどうか判定することができる。描かれたタッチ経路イベントのトレースが、曲線の形をしたジェスチャである場合(すなわち、判定ブロック4320=「はい」)、コンピューティングデバイス10は、ブロック4322において、間にある近くのコンピューティングデバイスを識別し、ブロック4332において、タッチ経路イベントの計算された距離に基づいて、ターゲットデバイスを識別することができる。図1のブロック118において、コンピューティングデバイスは次いで、ファイルをターゲットデバイスに送信する処理を開始することができる。描かれたタッチ経路イベントが、曲線の形をしたジェスチャでない場合(すなわち、判定ブロック4320=「いいえ」)、コンピューティングデバイス10は、ブロック4332において、タッチ経路イベントの計算された距離に基づいて、ターゲットデバイスを識別し、図1のブロック118において、ファイルをターゲットデバイスに送信する処理を開始することができる。
【０１０３】
図46は、ファイルを共有する要求を受け取り、要求側コンピューティングデバイス10にファイルを送信するための、態様の方法5200の処理の流れを示す。方法5200のブロック5202において、要求受取り側コンピューティングデバイスは、ファイルを共有する要求を受け取ることができ、それに応答して、ブロック5204において、ファイル共有機能を起動し、ブロック5206において、要求側デバイスを識別することができる。ブロック5208において、要求受取り側コンピューティングデバイス10は、要求側コンピューティングデバイス10に送信され得るファイルを識別することができる。ファイルは、写真、電話番号、特定の文書、別の人のコンタクト番号、または質問に対する応答などの、要求側コンピューティングデバイスから受け取った指定に基づいて識別することができる。ブロック5210において、要求受取り側コンピューティングデバイスは、識別されたファイルを識別された要求側コンピューティングデバイスに送信することを許可するようにユーザに要求するプロンプトを表示することができる。このプロンプトは、例えば、レーダマップ、ユーザ名、ユーザ写真などを含む、種々の態様に記載した方法のうちの任意のものを使用して、要求側コンピューティングデバイスを識別することができる。判定ブロック5212において、要求受取り側コンピューティングデバイスは、ユーザが、ファイル共有に同意したか、または識別されたファイルを識別されたコンピューティングデバイスとの間で共有することを拒否したかを判定することができる。ユーザがファイルの共有に同意した場合(すなわち、判定ブロック5212=「はい」)、要求受取り側コンピューティングデバイスは、ブロック5214において、識別されたファイルを要求側コンピューティングデバイス10に送信する処理を開始することができる。ユーザがファイルを共有することに同意しなかった場合(すなわち、判定ブロック5212=「いいえ」)、要求受取り側コンピューティングデバイスは、ブロック5216において、要求を無視するか、または要求を拒否するメッセージを送信することができる。
【０１０４】
また別の態様においては、ファイルが送信されるコンピューティングデバイスは、電話の通話またはデータの送信が行われているなどで使用中の場合、ファイルを別のコンピューティングデバイスに転送するように構成されていてもよい。また別の態様においては、ファイルをターゲットコンピューティングデバイスに送達するネットワークは、ターゲットコンピューティングデバイスが、電話の通話またはデータの送信が行われているなどで使用中の場合、ファイルを別のコンピューティングデバイスに転送するように構成されていてもよい。
【０１０５】
上記の態様は、多様なポータブルコンピューティングデバイス10のいずれかに実装することができる。典型的には、そのようなポータブルコンピューティングデバイス10は、共通して、図47に示したコンポーネントを有する。例えば、ポータブルコンピューティングデバイス10は、内部メモリ192およびタッチ面入力デバイスに結合されたプロセッサ191を備えていてもよい。タッチ面入力デバイスは、感圧式タッチスクリーン、静電容量式タッチスクリーン、赤外線検知式タッチスクリーン、音響/圧電検知式タッチスクリーンなどの任意のタイプのタッチスクリーンディスプレイ312であってよい。種々の態様は、任意の特定のタイプのタッチスクリーンディスプレイ312またはタッチパッド技術に限定されるものではない。さらに、ポータブルコンピューティングデバイス10は、プロセッサ191に結合された1つまたは複数の無線送受信機195a、195bに接続された、電磁放射線を送受信するためのアンテナ194を備えていてもよい。例えば、ある無線送受信機195aは、セルラー電話およびデータ通信ネットワークとの間の無線通信リンクを確立するように構成されたセルラー電話送受信機195aであってもよく、また別のものは、他のBluetooth(登録商標)対応のコンピューティングデバイスとの間の無線通信リンクを確立するように構成されたBluetooth(登録商標)送受信機であってもよい。タッチスクリーン入力デバイス312をもたないポータブルコンピューティングデバイス10は、典型的には、ポインティングデバイスとして働くキーパッド196または小型キーボードおよびメニュー選択キーまたはロッカスイッチ197を備える。プロセッサ191は、プロセッサ191を外部のタッチパッドもしくはタッチ面または外部のローカルエリアネットワークに接続するためのユニバーサルシリアルバス(USB)またはFireWire(登録商標)コネクタソケットなどの有線ネットワークインターフェイス198にさらに接続されていてもよい。コンピューティングデバイス10は、音声およびコマンドをユーザから受け取るために、プロセッサ191に結合されたマイクロホン199をさらに備えていてもよい。
【０１０６】
コンピューティングデバイス10は、種々の態様のファイル共有機能を有効にするために、他の回路部品およびセンサをさらに備えることができる。加速度計センサアセンブリ190が、コンピューティングデバイスの加速度を検出するために、プロセッサ191に結合されていてもよい。そのような加速度計センサアセンブリ190は、3つの相互に垂直な方向に沿って加速度を検知するために構成された3つの加速度計を備えていてもよい。ジャイロスコープセンサ5300は、コンピューティングデバイス10の素早い回転動作を検出するために、プロセッサ191に結合されていてもよい。電子コンパスセンサ5302は、コンピューティングデバイスが地球磁場に対して指す方向を検出するために、プロセッサに結合されていてもよい。ある態様においては、コンピューティングデバイス10はまた、送受信機195bまたはプロセッサが、三角測量の計算をサポートするために近くのコンピューティングデバイスから受け取った信号のタイミングおよび/または信号強度を比較できるようにするために、無線送受信機195bのうちの1つに結合された第2のアンテナ5304を備えていてもよい。GPS受信機5306はまた、コンピューティングデバイスの位置を判定するために、プロセッサ191に結合されていてもよい。ある態様においては、GPS受信機5306およびプロセッサ191は、セルラー電話ネットワークによってサポートされる拡張GPSサービスを使用して位置を判定するように構成されていてもよい。
【０１０７】
いくつかの実施形態では、タッチ面は、タッチスクリーンディスプレイ312より外側のコンピューティングデバイス10の領域に設けることができる。例えば、キーパッド196は、埋め込まれた静電容量式タッチセンサを備えたタッチ面を有することができる。他の実施形態において、キーパッド196は、タッチスクリーンディスプレイ312が完全なGUIを提供するので、なくてもよい。さらに別の実施形態において、タッチ面は、ケーブルコネクタ198へのケーブルまたはプロセッサ191に結合された無線送受信機195bによってコンピューティングデバイス10に接続され得る外部のタッチパッドであってもよい。
【０１０８】
プロセッサ191は、上記の種々の態様の機能を含む多様な機能を実行するためにソフトウェア命令(アプリケーション)によって構成され得る、任意のプログラム可能なマイクロプロセッサ、マイクロコンピュータまたは1つもしくは複数のマルチプロセッサチップであってもよい。いくつかのポータブルコンピューティングデバイス10においては、無線通信機能専用の1つのプロセッサおよび走っている他のアプリケーション専用の1つのプロセッサなどの複数のプロセッサ191が設けられ得る。プロセッサはまた、通信チップセットの部分として含まれていてもよい。典型的には、ソフトウェアアプリケーションが内部メモリ195に格納されてよく、その後、それらはアクセスされ、プロセッサ191にロードされる。いくつかのポータブルコンピューティングデバイス10においては、プロセッサ191は、アプリケーションソフトウェア命令を格納するのに十分な内部メモリを有していてもよい。この説明のために、メモリという用語は、内部メモリ195およびプロセッサ191自体の中にあるメモリを含む、プロセッサ191によってアクセス可能なすべてのメモリを指す。アプリケーションデータファイルは、典型的には、メモリ195内に格納されている。多くのポータブルコンピューティングデバイス10では、メモリ195は、揮発性メモリもしくはフラッシュメモリなどの不揮発性メモリ、またはその混合であってもよい。
【０１０９】
本明細書に開示された態様に関連して記載した、種々の例示的な論理ブロック、モジュール、回路、およびアルゴリズムブロックは、電子ハードウェア、コンピュータソフトウェア、またはその両方の組合せとして実装してもよいことが当業者には理解されよう。このハードウェアとソフトウェアの互換性を明確に示すために、種々の例示的なコンポーネント、ブロック、モジュール、回路、およびブロックを、その機能性の観点からここまで一般的に述べてきた。そのような機能がハードウェアまたはソフトウェアとして実装されるかどうかは、特定の用途およびシステム全体に課される設計上の制約に依存する。当業者は、記載した機能を特定の用途ごとにさまざまな方法で実施することができるが、そのような実施上の判断は、本発明の範囲からの逸脱を生じさせていると解釈されるべきではない。
【０１１０】
いくつかのブロックの順序は、本明細書に記載のものから、本発明および特許請求の範囲を変更することなく変更され得るので、処理のブロックが記載され、図面に見られる順序は、例でしかない。
【０１１１】
本明細書に開示された態様とともに説明した方法またはアルゴリズムのブロックは、ハードウェア、プロセッサによって実行されるソフトウェアモジュール、またはその2つの組合せにおいて直接的に実現することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている記憶媒体の任意の他の形のうちのいずれかであってよいプロセッサが読取り可能なメモリに存在してもよい。例示的な記憶媒体は、プロセッサが記憶媒体から情報を読み出し、また情報を記憶媒体へ書き込むことができるように、プロセッサに結合されている。あるいは、記憶媒体は、プロセッサと一体になっていてもよい。プロセッサおよび記憶媒体は、ASICの中に存在していてもよい。ASICは、ユーザ端末またはコンピューティングデバイスの中に存在していてもよい。あるいは、プロセッサおよび記憶媒体は、個々の離散的コンポーネントとして、ユーザ端末またはコンピューティングデバイスの中に存在していてもよい。さらに、いくつかの態様では、方法またはアルゴリズムのブロックおよび/または動作は、コンピュータプログラム製品に組み込むことができるマシン可読媒体および/またはコンピュータ可読媒体上のコードおよび/または命令のうちの1つまたは任意の組合せまたはセットとして存在してもよい。
【０１１２】
種々の態様についての前述の説明は、当業者であれば誰でも本発明を作成または使用可能になるように提供されている。これらの態様の各種変形は、当業者には容易に明らかとなり、本明細書で定義する包括的な原理は、本発明の範囲から逸脱することなく他の態様に適用することができる。したがって、本発明は、本明細書に示す態様に限定されることは意図せず、特許請求の範囲は、本明細書で開示される原理および新規な特徴と矛盾しない最も広い範囲に一致するものとする。
【符号の説明】
【０１１３】
10a〜10c  コンピューティングデバイス
11  近距離無線通信リンク
12  セルラーアクセスポイント
13  セルラー基地局
14  セルラー通信ネットワーク
16  インターネット
18  Eメールサーバ
20、22、23、24、26、28、30、32、34、36、38、40  メッセージ
190  加速度計センサアセンブリ
191  プロセッサ
192  内部メモリ
194  アンテナ
195a、195b  無線送受信機
196  キーパッド
197  ロッカスイッチ
198  有線ネットワークインターフェイス
199  マイクロホン
200  通信ネットワーク
304  ローンチパッド
306  指
308  タッチスクリーン
310  ディスプレイ
312  タッチスクリーンディスプレイ
402  ファンクションキー
404  GUIメニュー
502  ソフトキー
802  レーダマップ表示
804  視覚的指標
1700、2700  写真
2100  質問枠
2400  ファイル
2600  メニュー枠
3200  決定枠
3300  確認プロンプト枠
3402  ドライバ
3404  OS
3406  API
3408  アプリケーション
5300  ジャイロスコープセンサ
5302  電子コンパスセンサ
5304  アンテナ
5306  GPS受信機
【図１】
0005436682.tif 000002
【図２Ａ】
0005436682.tif 000003
【図３】
0005436682.tif 000004
【図４Ａ】
0005436682.tif 000005
【図４Ｂ】
0005436682.tif 000006
【図４Ｃ】
0005436682.tif 000007
【図４Ｄ】
0005436682.tif 000008
【図５Ａ】
0005436682.tif 000009
【図５Ｂ】
0005436682.tif 000010
【図６Ａ】
0005436682.tif 000011
【図６Ｂ】
0005436682.tif 000012
【図７】
0005436682.tif 000013
【図８】
0005436682.tif 000014
【図９】
0005436682.tif 000015
【図１１】
0005436682.tif 000016
【図１２】
0005436682.tif 000017
【図１３】
0005436682.tif 000018
【図１４】
0005436682.tif 000019
【図１５】
0005436682.tif 000020
【図１６Ａ】
0005436682.tif 000021
【図１６Ｂ】
0005436682.tif 000022
【図１７】
0005436682.tif 000023
【図１８】
0005436682.tif 000024
【図２０】
0005436682.tif 000025
【図２１Ａ】
0005436682.tif 000026
【図２１Ｂ】
0005436682.tif 000027
【図２２】
0005436682.tif 000028
【図２３】
0005436682.tif 000029
【図２４】
0005436682.tif 000030
【図２５】
0005436682.tif 000031
【図２６】
0005436682.tif 000032
【図２７】
0005436682.tif 000033
【図２９】
0005436682.tif 000034
【図３１】
0005436682.tif 000035
【図３２】
0005436682.tif 000036
【図３３】
0005436682.tif 000037
【図３４】
0005436682.tif 000038
【図３５】
0005436682.tif 000039
【図３６】
0005436682.tif 000040
【図３７】
0005436682.tif 000041
【図３８】
0005436682.tif 000042
【図３９】
0005436682.tif 000043
【図４０】
0005436682.tif 000044
【図４１】
0005436682.tif 000045
【図４２】
0005436682.tif 000046
【図４３】
0005436682.tif 000047
【図４４】
0005436682.tif 000048
【図４５】
0005436682.tif 000049
【図４６】
0005436682.tif 000050
【図４７】
0005436682.tif 000051
【図２Ｂ】
0005436682.tif 000052
【図１０】
0005436682.tif 000053
【図１９】
0005436682.tif 000054
【図２８】
0005436682.tif 000055
【図３０】
0005436682.tif 000056